(57)【特許請求の範囲】
【請求項１】
ユーザ機器（ＵＥ）におけるワイヤレス通信のための方法であって、
非直交チャネルについての送信ストラテジーの測定セットを決定することと、ここにおいて、前記測定セットを決定することは、送信ストラテジー選択基準のセットを、利用可能な送信ストラテジー空間に適用することを備え、前記非直交チャネルは、直交レイヤ及び非直交レイヤの両方を含む可能な複数のレイヤのための複数のチャネルのうちの１つであり、前記送信ストラテジーの各々は、１つまたは複数のＵＥへのリソースの割振りのための技法を含む、
前記測定セットの該当送信ストラテジーに対応する前記非直交チャネルを介した前記ＵＥへのダウンリンク送信のためのチャネル品質を推定することと、
前記ＵＥにおいて、報告すべき送信ストラテジーの前記測定セットのサブセットを決定することと、
送信ストラテジーの前記測定セットの前記サブセットについて前記チャネル品質のインジケータを備えるチャネルフィードバック報告を送ることと
を備える、方法。
【請求項２】
前記ダウンリンク送信のための最高シングルユーザデータレートの割合に基いて、最小データレートしきい値を決定することと、
前記最小データレートしきい値に少なくとも一部基いて、前記測定セットの前記サブセットを決定することと
をさらに備える、請求項１に記載の方法。
【請求項３】
前記測定セットのうちの所定数Ｍの前記送信ストラテジーと、報告選択基準とに少なくとも一部基いて、前記測定セットの前記サブセットを決定することをさらに備える、請求項１に記載の方法。
【請求項４】
前記非直交チャネルのフィルタ処理された信号対雑音比（ＳＮＲ）、または基地局から受信された選択モードに少なくとも一部基いて、前記報告選択基準を識別すること
をさらに備える、請求項３に記載の方法。
【請求項５】
前記報告選択基準が、ランダム選択基準または連続選択基準のうちの１つを備える、請求項３に記載の方法。
【請求項６】
前記ランダム選択基準が、最小データレートしきい値と最大データレートしきい値とを備える、請求項５に記載の方法。
【請求項７】
前記ダウンリンク送信のための最高シングルユーザデータレートを決定することと、
前記最大データレートしきい値を前記最高シングルユーザデータレートに設定することと、
前記最小データレートしきい値を前記最高シングルユーザデータレートの割合に設定することと
をさらに備える、請求項６に記載の方法。
【請求項８】
ユーザ機器（ＵＥ）によるワイヤレス通信のための装置であって、
非直交チャネルについての送信ストラテジーの測定セットを決定するための手段と、ここにおいて、前記測定セットを決定するための手段は、送信ストラテジー選択基準のセットを、利用可能な送信ストラテジー空間に適用するための手段を備え、前記非直交チャネルは、直交レイヤ及び非直交レイヤの両方を含む可能な複数のレイヤのための複数のチャネルのうちの１つであり、前記送信ストラテジーの各々は、１つまたは複数のＵＥへのリソースの割振りのための技法を含む、
前記測定セットの該当送信ストラテジーに対応する前記非直交チャネルを介した前記ＵＥへのダウンリンク送信のためのチャネル品質を推定するための手段と、
前記ＵＥにおいて、報告すべき送信ストラテジーの前記測定セットのサブセットを決定するための手段と、
送信ストラテジーの前記測定セットの前記サブセットについてチャネル品質のインジケータを備えるチャネルフィードバック報告を送るための手段と
を備える、装置。
【請求項９】
前記ダウンリンク送信のための最高シングルユーザデータレートの割合に基いて、最小データレートしきい値を決定するための手段と、
前記最小データレートしきい値に少なくとも一部基いて、前記測定セットの前記サブセットを決定するための手段と
をさらに備える、請求項８に記載の装置。
【請求項１０】
前記測定セットのうちの所定数Ｍの前記送信ストラテジーと、報告選択基準とに少なくとも一部基いて、前記測定セットの前記サブセットを決定するための手段
をさらに備える、請求項８に記載の装置。
【請求項１１】
前記非直交チャネルのフィルタ処理された信号対雑音比（ＳＮＲ）、または基地局から受信された選択モードに少なくとも一部基いて、前記報告選択基準を識別するための手段
をさらに備える、請求項１０に記載の装置。
【請求項１２】
前記報告選択基準が、ランダム選択基準または連続選択基準のうちの１つを備える、請求項１０に記載の装置。
【請求項１３】
前記ランダム選択基準が、最小データレートしきい値と最大データレートしきい値とを備える、請求項１２に記載の装置。
【請求項１４】
前記ダウンリンク送信のための最高シングルユーザデータレートを決定するための手段と、
前記最大データレートしきい値を前記最高シングルユーザデータレートに設定するための手段と、
前記最小データレートしきい値を前記最高シングルユーザデータレートの割合に設定するための手段と
をさらに備える、請求項１３に記載の装置。
【請求項１５】
少なくとも１つのコンピュータに、請求項１−７のうちのいずれかにしたがったステップを行わせる命令を備えるコンピュータプログラム。
【発明の詳細な説明】
【相互参照】
【０００１】
[0001]  本特許出願は、２０１５年９月３０日に出願され、「Channel Feedback for Non-Orthogonal Multiple Access Systems」と題された、Ｓｕｎらによる米国特許出願第１４／８７１，５５０号、および２０１４年１０月２８日に出願され、「Channel Feedback for Non-Orthogonal Multiple Access System」と題された、Ｓｕｎらによる米国仮特許出願第６２／０６９，５１５号の優先権を主張するもので、これらの各々は本出願の譲受人に譲渡されている。
【技術分野】
【０００２】
[0002]  本開示は、例えば、ワイヤレス通信システムに関し、より詳細には、非直交チャネルについてのチャネルフィードバックを報告することに関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（例えば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]  例として、ワイヤレス多元接続通信システムは、場合によってはユーザ機器（ＵＥ）として知られる、複数の通信デバイスのための通信を各々が同時にサポートする、いくつかの基地局を含み得る。基地局は、（例えば、基地局からＵＥへの送信のために）ダウンリンクチャネル、および（例えば、ＵＥから基地局への送信のために）アップリンクチャネル上で、ＵＥと通信し得る。
【０００５】
[0005]  通信システムは、信頼性または容量の増加のためにマルチアンテナ技法を利用し得る。マルチアンテナ技法は、送信ダイバーシティおよび多入力多出力（ＭＩＭＯ）技法を含む。Ｔ個の送信アンテナとＲ個の受信アンテナとを採用するＭＩＭＯシステムは、シングルアンテナ技法よりもｍｉｎ｛Ｔ，Ｒ｝の容量増加を実現し得る。別の手法は、ワイヤレス通信システムの容量を増加させるための非直交ダウンリンク信号の送信を含む。しかしながら、多元接続システムでは、シングルユーザＭＩＭＯ（ＳＵ−ＭＩＭＯ）、マルチユーザＭＩＭＯ（ＭＵ−ＭＩＭＯ）、および／または非直交多元接続（ＮＯＭＡ）を含む技法において可能な変形形態が、複数のＵＥへの送信の可能な組合せの空間を介してチャネル状態を報告する際に問題を生じる。
【発明の概要】
【０００６】
[0006]  説明する特徴は、一般に、非直交チャネルについてチャネルフィードバックを報告するための１つまたは複数の改善されたシステム、方法、および／または装置に関する。チャネルフィードバックは、非直交チャネルについてのチャネルフィードバックのための送信ストラテジー（ＴＳ：transmission strategy）の測定セットを決定することによって、報告され得る。次いで、測定セットの該当ＴＳに対応するＵＥへのダウンリンク送信のためのチャネル品質の推定値が決定され得る。次いで、チャネルフィードバック報告が送られ得る。チャネルフィードバック報告は、ＴＳの測定セットのサブセットについてチャネル品質のインジケータを含み得る。チャネルフィードバック報告はまた、明示的にまたは暗黙的に、チャネル品質の各インジケータに対応するＴＳを示し得る。
【０００７】
[0007]  例示的な例の第１のセットでは、ＵＥにおけるワイヤレス通信のための方法について説明する。一例において、本方法は、非直交チャネルについてのチャネルフィードバックのためのＴＳの測定セットを決定することと、測定セットの該当ＴＳに対応するＵＥへのダウンリンク送信のためのチャネル品質を推定することと、ＴＳの測定セットのサブセットについてチャネル品質のインジケータを備えるチャネルフィードバック報告を送ることとを含み得る。
【０００８】
[0008]  いくつかの例において、本方法は、ダウンリンク送信のための最高シングルユーザデータレートの割合に基いて、最小データレートしきい値を決定することと、最小データレートしきい値に少なくとも一部基いて、測定セットのサブセットを決定することとを含み得る。いくつかの例において、本方法は、測定セットのうちの所定数ＭのＴＳと報告選択基準とに対応する、測定セットのサブセットを決定することを含み得る。いくつかの例において、本方法は、非直交チャネルのフィルタ処理された信号対雑音比（ＳＮＲ）、または基地局から受信された選択モードに少なくとも一部基いて、報告選択基準を識別することを含み得る。いくつかの例において、報告選択基準は、ランダム選択基準または連続選択基準のうちの１つを含み得る。いくつかの例において、ランダム選択基準は、最小データレートしきい値と最大データレートしきい値とを含み得る。
【０００９】
[0009]  いくつかの例において、本方法は、ダウンリンク送信のための最高シングルユーザデータレートを決定することと、最大データレートしきい値を最高シングルユーザデータレートに設定することと、最小データレートしきい値を最高シングルユーザデータレートの割合に設定することとを含み得る。いくつかの例において、チャネルフィードバック報告は、予め定義された順序でのＴＳ空間の該当ＴＳのためのチャネル品質のインジケータを含み得る。いくつかの例において、本方法は、チャネルフィードバック報告を送ることより前に、ＴＳ空間の予め定義された順序を基地局と通信することを含み得る。いくつかの例において、チャネルフィードバック報告は、測定セットのサブセットについてのチャネル品質のインジケータの各々に関連する該当ＴＳのインジケータを含み得る。いくつかの例において、該当ＴＳのインジケータは、ＴＳ空間に対応するビットマップのビット、またはＴＳ空間へのインデックスを含み得る。いくつかの例において、本方法は、チャネルフィードバック報告を送ることより前に、ＴＳ空間を基地局と通信することを含み得る。いくつかの例において、測定セットを決定することは、ＴＳ選択基準のセットを、利用可能なＴＳ空間に適用することを含み得る。
【００１０】
[0010]  いくつかの例において、ＴＳ選択基準のセットは、電力分割選択基準、ＵＥに送信されたデータストリームのための空間レイヤ選択基準、少なくとも１つの他のＵＥに送信されたデータストリームのための空間レイヤ選択基準、またはそれらの組合せのうちのいずれかを含み得る。いくつかの例において、ＴＳの各々は、プリコーディング行列、ＵＥへのデータストリームのための空間レイヤの第１のセット、少なくとも１つの他のＵＥへのデータストリームのための空間レイヤの第２のセット、該当チャネル品質、電力分割、またはそれらの組合せのうちのいずれかを達成するために干渉消去が適用されるかどうかを含み得る。
【００１１】
[0011]  例示的な例の第２のセットでは、ＵＥによるワイヤレス通信のための装置について説明する。一例において、本装置は、非直交チャネルについてのチャネルフィードバックのためのＴＳの測定セットを決定するための手段と、測定セットの該当ＴＳに対応する非直交チャネルを介したＵＥへのダウンリンク送信のためのチャネル品質を推定するための手段と、ＴＳの測定セットのサブセットについてチャネル品質のインジケータを備えるチャネルフィードバック報告を送るための手段とを含み得る。いくつかの例において、本装置は、例示的な例の第１のセットに関して上記で説明したワイヤレス通信のための方法の１つまたは複数の態様を実施するための手段をさらに含み得る。
【００１２】
[0012]  例示的な例の第３のセットでは、ＵＥによるワイヤレス通信のための装置について説明する。一例において、本装置は、プロセッサと、プロセッサと電子通信しているメモリと、メモリに記憶された命令とを含み得る。命令は、非直交チャネルについてのチャネルフィードバックのためのＴＳの測定セットを決定することと、測定セットの該当ＴＳに対応する非直交チャネルを介したＵＥへのダウンリンク送信のためのチャネル品質を推定することと、ＴＳの測定セットのサブセットについてチャネル品質のインジケータを備えるチャネルフィードバック報告を送ることとを行うためにプロセッサによって実行可能であり得る。本装置のいくつかの例において、命令はまた、例示的な例の第１のセットに関して上記で説明したワイヤレス通信のための方法の１つまたは複数の態様を実施するためにプロセッサによって実行可能であり得る。
【００１３】
[0013]  例示的な例の第４のセットでは、ＵＥによるワイヤレス通信のためのコンピュータ実行可能コードを記憶する非一時的コンピュータ可読媒体について説明する。一例において、コードは、非直交チャネルについてのチャネルフィードバックのためのＴＳの測定セットを決定することと、測定セットの該当ＴＳに対応する非直交チャネルを介したＵＥへのダウンリンク送信のためのチャネル品質を推定することと、ＴＳの測定セットのサブセットについてチャネル品質のインジケータを備えるチャネルフィードバック報告を送ることとを行うためにプロセッサによって実行可能な命令を含み得る。本非一時的コンピュータ可読媒体のいくつかの例において、命令はまた、例示的な例の第１のセットに関して上記で説明したワイヤレス通信のための方法の１つまたは複数の態様を実施するためにプロセッサによって実行可能であり得る。
【００１４】
[0014]  上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を果たすための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明のみの目的で提供され、特許請求の範囲の限界を定めるものではない。
【００１５】
[0015]  本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、説明は、第２の参照ラベルにかかわらず、同じ第１の参照ラベルを有する同様の構成要素のうちのいずれにも適用可能である。
【図面の簡単な説明】
【００１６】
【図１Ａ】本開示の様々な態様による、ワイヤレス通信システムの一例を示す図。
【図１Ｂ】本開示の様々な態様による、基地局がＭＩＭＯおよび／またはＮＯＭＡ技法を使用して通信し得るシステムを示す図。
【図２】本開示の様々な態様による、非直交チャネルを介した拡張スケジューリングのためのチャネルフィードバックを採用し得る例示的なワイヤレス通信システムを示す図。
【図３】本開示の様々な態様による、ＣＱＩ報告領域の一例を示す図。
【図４】本開示の様々な態様による、ワイヤレス通信システムのための例示的なメッセージフローを示す図。
【図５】本開示の様々な態様による、ワイヤレス通信システムのための別の例示的なメッセージフローを示す図。
【図６Ａ】本開示の様々な態様による、明示的アドレス指定の一例のブロック図。
【図６Ｂ】本開示の様々な態様による、圧縮された送信ストラテジーインジケータを使用する明示的アドレス指定の一例のブロック図。
【図７】本開示の様々な態様による、暗黙的アドレス指定の一例のブロック図。
【図８Ａ】本開示の様々な態様による、混合アドレス指定のための送信ストラテジーアドレス空間を示す表。
【図８Ｂ】本開示の様々な態様による、混合アドレス指定のためのチャネルフィードバック報告の一例のブロック図。
【図９】本開示の様々な態様による、ワイヤレス通信システムにおける非直交チャネルフィードバックのためのデバイスのブロック図。
【図１０】本開示の様々な態様による、ワイヤレス通信システムにおけるチャネルフィードバックのための非直交フィードバックプロセッサのブロック図。
【図１１】本開示の様々な態様による、ワイヤレス通信システムのためのＵＥのブロック図。
【図１２】本開示の様々な態様による、ワイヤレス通信システムのための基地局のブロック図。
【図１３】本開示の様々な態様による、多入力／多出力通信システムのブロック図。
【図１４】本開示の様々な態様による、ワイヤレス通信のための方法の一例を示すフローチャート。
【図１５】本開示の様々な態様による、ワイヤレス通信のための方法の別の例を示すフローチャート。
【詳細な説明】
【００１７】
[0034]  一般に、非直交チャネルを介した送信の拡張スケジューリングのためのチャネルフィードバックに関する技法について説明する。基地局および／またはＵＥは、通信品質と信頼性とを改善するために、アンテナダイバーシティ方式を採用するために複数のアンテナを含み得る。追加または代替として、基地局および／またはＵＥは、同じまたは異なるコード化データを搬送する複数の空間レイヤを送信するために、マルチパス環境を利用し得る多入力多出力（ＭＩＭＯ）技法を採用し得る。ＭＩＭＯ技法は、同じまたは異なるデータストリームが基地局１０５と単一のＵＥとの間の複数のレイヤ上で通信される、シングルユーザＭＩＭＯ（ＳＵ−ＭＩＭＯ）技法と、複数のストリームが、空間的に区別可能なユーザに送信されるかまたはそれらから受信され得る、マルチユーザＭＩＭＯ（ＭＵ−ＭＩＭＯ）とを含む。ＭＵ−ＭＩＭＯは、空間分割多元接続（ＳＤＭＡ）と呼ばれることもある。さらに、ＭＵ−ＭＩＭＯ空間レイヤは、整合される（例えば、同じリソースブロックを使用する）ことも整合されないこともある。
【００１８】
[0035]  ＤＬ−ＭＩＭＯ送信の場合、基地局による１つまたは複数の送信のために使用されるモードは、送信ストラテジー（ＴＳ）によって定義され得る。ＴＳは、ＵＥへのリソースの割振りのための様々な技法を含み得る。例えば、異なるＵＥへの送信が、周波数（例えば、ＦＤＭＡ）、空間レイヤ（例えば、ＳＤＭＡ）、または非直交多元接続（ＮＯＭＡ）技法によって区別され得る。各ＴＳは、送信電力、レイヤ間の送信電力分割、空間レイヤのために使用されるプリコーディング、時間リソース、周波数リソースなどを含む様々な送信パラメータを使用して、１つまたは複数のＵＥへの１つまたは複数のデータストリームに関連付けられ得る。
【００１９】
[0036]  ＮＯＭＡ技法は、同じまたは異なるＵＥに与えられる同時の、非直交のデータストリームを含み、ここで、各変調レイヤは、特定の展開および／またはチャネル状態に基いて選択され得るコンテンツを送信するために使用され得る。いくつかの例において、ＮＯＭＡ送信のための信号は、階層および／または重畳変調を使用して変調され得、第１のデータストリームが、信号のベースレイヤ上での送信のために変調され得、第２のデータストリームが、信号のエンハンスメントレイヤ（enhancement layer）上での送信のために変調され得る。例えば、基地局は、１つまたは複数のＵＥへのベースレイヤ上に重畳されるエンハンスメントレイヤを有する信号を送信し得る。追加または代替として、ベースレイヤ上への第１のデータストリームとエンハンスメントレイヤ上への第２のデータストリームとの変調は、階層的であり得、送信信号のシンボルコンスタレーションが、ベースレイヤとエンハンスメントレイヤとに関連するサブコンスタレーションを含む。いくつかの例において、ＵＥは、同様の様式で、複数の階層および／または重畳変調レイヤを基地局に送信し得る。
【００２０】
[0037]  階層および／または重畳変調は、ベースレイヤとエンハンスメントレイヤとの間の送信電力の分割として理解され得る。ベースレイヤがそれに向けられたＵＥにとって、エンハンスメントレイヤは干渉として見られ得る。しかしながら、ベースレイヤの信号対雑音比（ＳＮＲ）は、エンハンスメントレイヤからの干渉の存在下でさえ、ベースレイヤからの第１のデータストリームの復調と復号との成功を可能にするレベルにあり得る。エンハンスメントレイヤがそれに向けられたＵＥは、ベースレイヤ上で受信されたシンボルおよび／またはデータを復調および／または復号し、次いで、ベースレイヤの信号を消去するために干渉消去を行い得る。ＵＥは、次いで、干渉消去の後の残りの信号からの第２のデータストリームを復調および復号し得る。ＮＯＭＡダウンリンク送信における複数のレイヤが、同じリソースの一部または全部を共有する（例えば、部分的にまたは完全に重複するリソースブロックを有する）とき、ＵＥは、ＵＥを対象とする他のレイヤ上のデータストリームを識別し、復号するために、ＮＯＭＡダウンリンク送信のレイヤのうちの１つまたは複数に対して干渉消去動作を行い得る。
【００２１】
[0038]  追加または代替として、干渉消去は、ＳＤＭＡを採用するＴＳのために使用され得る。例えば、基地局は、第１の空間レイヤ上の第１のＵＥのための第１のデータストリームと、第２の空間レイヤ上の第２のＵＥのための第２のデータストリームとを含むＭＵ−ＭＩＭＯ送信を送信し得る。第１のＵＥは、送信信号を受信し、第２の空間レイヤの干渉消去を行うために、第２の空間レイヤに関連する信号を復調または復号し得る。第１のＵＥは、次いで、干渉消去の後の残りの信号からの第１のデータストリームを復調および復号し得る。第２のＵＥは、送信信号を受信し、（干渉消去を使用することを行ってまたは行わずに）第２のデータストリームを復号し得る。この事例において、第１のＵＥへの送信の部分は、送信パラメータ（例えば、変調およびコーディング方式（ＭＣＳ）など）が、第２のＵＥへの送信の部分を消去するために第１のＵＥにおいて干渉消去が行われていると仮定し得るので、同じくエンハンスメントレイヤ送信と見なされる。本明細書で使用する、「エンハンスメントレイヤ」という用語は、受信機が、所望のまたは意図されたエラーレートを達成するために、（例えば、同じまたは異なる受信機への）送信の１つまたは複数のベースレイヤについて干渉消去を行うことになると仮定して送信される送信の一部分を指す。「ベースレイヤ」という用語は、受信機における他のレイヤの干渉消去なしを仮定して送信される送信または送信の一部分を指す。
【００２２】
[0039]  基地局が、直交または非直交送信技法をサポートし得る異なるチャネル状態を有する複数のＵＥをサービスする場合、ＵＥが様々なＴＳを使用して時間、周波数、および／または空間レイヤリソースを共有することができる可能な方法は多くなる。マルチユーザ環境においてフィードバックを与えるための説明する技法は、非直交チャネルを介した送信のための最適化されたＴＳを見つける可能性を向上させる。本明細書で使用する、「非直交チャネル」は、直交レイヤと非直交レイヤの両方を含む可能な送信レイヤのためのマルチアンテナ送信機とマルチアンテナ受信機との間のキャリアのチャネルを含む。例えば、キャリアのための非直交チャネルは、ＳＵ−ＭＩＭＯ、ＭＵ−ＭＩＭＯ、および／またはＮＯＭＡ技法などの送信技法のためのチャネルを含み得る。
【００２３】
[0040]  ＵＥからのチャネルフィードバックは、非直交チャネルのためのＴＳの測定セットを決定することによって、報告され得る。次いで、測定セットの該当ＴＳに対応するＵＥへのダウンリンク送信のためのチャネル品質の推定値が決定され得る。次いで、チャネルフィードバック報告が送られ得る。チャネルフィードバック報告は、ＴＳの測定セットのサブセットについてチャネル品質のインジケータを含み得る。チャネルフィードバック報告はまた、明示的にまたは暗黙的に、チャネル品質の各インジケータに対応するＴＳを示し得る。本技法は、非直交チャネルを介した複数のユーザへの送信の拡張スケジューリングのためのフィードバックを与えるために適用され得る。
【００２４】
[0041]  以下の説明は、例を与えるものであり、特許請求の範囲に記載された範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。例えば、説明する方法は、説明する順序とは異なる順序で行われ得、様々なステップが追加、省略、または組み合わせられ得る。また、いくつかの例に関して説明する特徴は、他の例において組み合わせられ得る。
【００２５】
[0042]  図１Ａに、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（例えば、Ｓ１など）を通してコアネットワーク１３０とインターフェースし、ＵＥ１１５との通信のための無線構成およびスケジューリングを行い得るか、または基地局コントローラ（図示せず）の制御下で動作し得る。様々な例において、基地局１０５は、ワイヤードまたはワイヤレス通信リンクであり得るバックホールリンク１３４（例えば、Ｘ１など）を介して互いと直接または間接的に（例えば、コアネットワーク１３０を通して）通信し得る。
【００２６】
[0043]  基地局１０５は、１つまたは複数の基地局アンテナを介してＵＥ１１５とワイヤレス通信し得る。基地局１０５のサイトの各々は、該当の地理的カバレージエリア１１０に通信カバレージを与え得る。いくつかの例において、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（例えば、マクロ基地局および／またはスモールセル基地局）を含み得る。異なる技術のための重複する地理的カバレージエリア１１０があり得る。
【００２７】
[0044]  いくつかの例において、ワイヤレス通信システム１００はＬＴＥ（登録商標）／ＬＴＥ−Ａネットワークである。ＬＴＥ／ＬＴＥ−Ａネットワークにおいて、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。例えば、各ｅＮＢまたは基地局１０５は、マクロセル、スモールセル、および／または他のタイプのセルに通信カバレージを与え得る。「セル」という用語は、コンテキストに応じて、基地局、基地局に関連するキャリア、あるいはキャリアまたは基地局のカバレージエリア（例えば、セクタなど）を表すために使用され得る３ＧＰＰ（登録商標）用語である。
【００２８】
[0045]  マクロセルは、概して、比較的大きい地理的エリア（例えば、半径数キロメートル）をカバーし、サービスに加入しているＵＥによるネットワークプロバイダとの無制限アクセスを可能にし得る。スモールセルは、マクロセルと比較して、マクロセルと同じまたは異なる（例えば、認可、無認可などの）周波数帯域内で動作し得る、低電力基地局である。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（例えば、自宅）を同じくカバーし得、フェムトセルとの関連を有するＵＥ（例えば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（例えば、２つ、３つ、４つなどの）セル（例えば、コンポーネントキャリア）をサポートし得る。
【００２９】
[0046]  ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００３０】
[0047]  様々な開示する例のうちのいくつかに適応し得る通信ネットワークは、階層化プロトコルスタックに従って動作するパケットベースネットワークであり得る。ユーザプレーンにおいて、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを行い得る。媒体アクセス制御（ＭＡＣ：Medium Access Control）レイヤが、優先度ハンドリングと、トランスポートチャネルへの論理チャネルの多重化とを行い得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３１】
[0048]  ＵＥ１１５はワイヤレス通信システム１００全体にわたって分散され、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む様々なタイプの基地局およびネットワーク機器と通信することが可能であり得る。
【００３２】
[0049]  ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。通信リンク１２５は、（例えば、対スペクトルリソースを使用する）ＦＤＤまたは（例えば、不対スペクトルリソースを使用する）ＴＤＤ動作を使用して、双方向通信を送信し得る。各通信リンク１２５は、１つまたは複数のキャリアを含み得、ここで、各キャリアは、異なる周波数範囲にわたり、周波数範囲にわたるＵＬ、ＤＬ、またはＵＬとＤＬの両方の上で伝達される情報の変調のためのチャネル構造を定義し得る。例えば、各キャリアは、１つまたは複数のフォーマッティングチャネル、１つまたは複数の制御チャネル、１つまたは複数のインジケータチャネル、１つまたは複数のデータチャネルなどを含み得る。各キャリアは、チャネル番号と動作帯域内のキャリア周波数との間の関係に基いて、指定されたチャネル番号（例えば、Ｅ−ＵＴＲＡ絶対無線周波数チャネル番号（ＥＡＲＦＣＮ：E-UTRA Absolute Radio Frequency Channel Number）など）を有し得る。
【００３３】
[0050]  ＬＴＥ／ＬＴＥ−Ａは、ダウンリンク上の直交周波数分割多元接続（ＯＦＤＭＡ）とアップリンク上のシングルキャリア周波数分割多元接続（ＳＣ−ＦＤＭＡ）とを含む、マルチキャリア変調（ＭＣＭ）技法を利用する。各ＭＣＭキャリアは、一般にトーン、ビンなどとも呼ばれる、複数のサブキャリア（例えば、直交サブキャリアなど）からなる波形信号であり得る。各サブキャリアは、情報（例えば、基準信号、制御情報、オーバーヘッド情報、ユーザデータなど）で変調され得る。隣接するサブキャリア間の間隔は固定であり得、サブキャリアの総数（Ｋ）はキャリア帯域幅に依存し得る。例えば、Ｋは、それぞれ、１．４、３、５、１０、１５、または２０メガヘルツ（ＭＨｚ）の（ガード帯域をもつ）対応するキャリア帯域幅に対して、１５キロヘルツ（ＫＨｚ）のサブキャリア間隔の場合、７２、１８０、３００、６００、９００、または１２００に等しくなり得る。キャリア帯域幅はまた、サブバンドに区分され得る。例えば、サブバンドは１．０８ＭＨｚをカバーし得、キャリアは１つ、２つ、４つ、８つまたは１６個のサブバンドを有し得る。
【００３４】
[0051]  ワイヤレス通信システム１００は、複数のセルまたはキャリア上での動作、すなわち、キャリアアグリゲーション（ＣＡ）またはマルチキャリア動作と呼ばれることがある特徴をサポートし得る。「コンポーネントキャリア」（ＣＣ）という用語は、ＣＡ動作においてＵＥによって利用される複数のキャリアの各々を指すことがあり、システム帯域幅の他の部分（例えば、他のキャリアなど）とは別個であり得る。ＣＡ動作において、ＵＥ１１５は、より大きい動作帯域幅、および、例えば、より高いデータレートを与えるために、複数のダウンリンクおよび／またはアップリンクＣＣをコンカレントに利用するように構成され得る。ＣＡ動作において使用されるＣＣは、任意の好適な帯域幅（例えば、１．４、３、５、１０、１５、または２０メガヘルツ（ＭＨｚ）など）であり得、各個々のＣＣは、例えば、ＬＴＥ規格のリリース８またはリリース９に基いてシングルキャリアと同じ能力を与え得る。従って、個々のＣＣは、レガシーＵＥ１１５（例えば、ＬＴＥリリース８またはリリース９を実施するＵＥ１１５）との後方互換性があるが、ＣＡのために構成されたかまたはシングルキャリアモードにある他のＵＥ１１５（例えば、リリース８／９後のＬＴＥバージョンを実施するＵＥ１１５）によっても利用され得る。代替的に、ＣＣは、他のＣＣと組み合わせて使用されるように構成され得、シングルキャリアモードをサポートするために使用されるいくつかのチャネル（例えば、フォーマットまたは制御チャネルなど）を搬送しないことがある。ＣＡは、ＦＤＤコンポーネントキャリアとＴＤＤコンポーネントキャリアの両方とともに使用され得る。
【００３５】
[0052]  ＬＴＥ／ＬＴＥ−Ａでは、基地局１０５がチャネルの特性に基いてダウンリンク送信を最適化することを可能にするために、チャネル品質インジケータ（ＣＱＩ：channel quality indicator）がＵＥ１１５から基地局１０５に送られ得る。ＣＱＩは、変調およびコーディング方式（ＭＣＳ）と呼ばれることもある、データレート（例えば、コーディングレートなど）および変調次数（例えば、ＱＰＳＫ、１６ＱＡＭ、６４ＱＡＭなど）へのインデックスとして定義され得る。ＣＱＩまたはＭＣＳは、あるブロックエラーレート（ＢＬＥＲ）においてＵＥ１１５によって受信され得る最大トランスポートブロックサイズに変換し得る。ＵＥ１１５は、基準信号（例えば、セル固有基準信号（ＣＲＳ）、ＣＳＩ基準信号（ＣＳＩ−ＲＳ）、ＵＥ固有基準信号（ＵＥ−ＲＳ）など）に対して測定を行うことによって、ＣＱＩを決定し得る。非直交チャネルの場合、データがＭＩＭＯまたはＮＯＭＡフォーマットで複数のＵＥ１１５にサービスされているとき、ＣＱＩ報告のために仮定されたチャネル／干渉と実際のチャネル／干渉との間に不一致があり得る。
【００３６】
[0053]  ＣＱＩを計算するとき、ＵＥ１１５は、それがランク１送信をもつリソースブロック（ＲＢ）において基地局１０５によってサービスされている唯一のＵＥであると仮定し得る。従って、ＣＱＩ計算は、ＵＥ１１５がＭＩＭＯまたはＮＯＭＡフォーマットでサービスされるとき、２つのＵＥ１１５間の送信電力分割を考慮しないことがある。そのようなフォーマットでは、各ＵＥ１１５への信号が他方のＵＥ１１５への干渉であり得る。
【００３７】
[0054]  この理由で、システムの展開された容量は、理論容量に一致しないことがある。基地局１０５に報告されたＣＱＩは、チャネルを十分に反映しないことがあり、基地局１０５は、レート予測誤差を補償するために、大きい外部ループバックオフを適用し得る。バックオフは、ＣＱＩ誤差分布の幅により、ＭＣＳが保守的になりすぎることを引き起こすことがある。
【００３８】
[0055]  ＭＵ−ＭＩＭＯおよびＮＯＭＡ技法を採用するシステムにおいて、ＣＱＩ予測誤差は、様々なチャネルおよび干渉シナリオを正確に考慮することよって低減され得る。例えば、ＣＱＩは、特定のＵＥに割り当てられた送信レイヤ、ならびに他のＵＥに割り当てられた送信レイヤを考慮し得る。ただし、多数のそのような組合せがあり得る。
【００３９】
[0056]  基地局１０５が、２つのＵＥをグループ化し、それらを１つの特定のＴＳ（例えば、ベースレイヤＵＥおよびエンハンスメントレイヤＵＥ）を用いてサービスするために、基地局１０５は、ベースレイヤＵＥからの特定のＴＳの下でのベースレイヤＣＱＩ、エンハンスメントレイヤＵＥからの特定のＴＳの下でのエンハンスメントレイヤＣＱＩ、ならびに、場合によっては、エンハンスメントレイヤＵＥからのベースレイヤＣＱＩを必要とし得る。いくつかの例において、基地局１０５は、ＭＵ−ＭＩＭＯ送信のために２つのＵＥをグループ化し得る。この例において、基地局１０５は、両方のＵＥからの特定のＴＳのための（例えば、相補的空間レイヤなどのための）ベースレイヤＣＱＩを必要とし得る。基地局１０５が最適なグループ化を決定することを可能にするために、各ＵＥは、ＴＳごとにベースレイヤＣＱＩとエンハンスメントレイヤＣＱＩとを報告することが必要とされ得る。これは、２つのＵＥをグループ化するための数十のＣＱＩ報告、および４つのＵＥをグループ化するための数百のＣＱＩ報告を生じ得る。ＣＱＩ報告の数は、サブバンド報告が使用される周波数選択性チャネルの場合、さらにより大きくなり得る。
【００４０】
[0057]  ベースレイヤＣＱＩは、選択されたＴＳに依存し得る。例えば、ベースレイヤ信号対雑音比（ＳＮＲ）は、グループ化されているあるＵＥと１つまたは複数の他のＵＥとの間の電力分割と、ベースレイヤのために使用されている空間レイヤと、エンハンスメントレイヤのために使用されている空間レイヤとに依存し得る。従って、各異なるＴＳのために、ＵＥは、異なるベースレイヤＣＱＩを決定し得る。
【００４１】
[0058]  ＴＳのためのエンハンスメントレイヤＣＱＩは、所与のＴＳの下でエンハンスメントレイヤを使用してＵＥ１１５がサービスされるという条件下にあり得、ここで、復調は、ベースレイヤ信号が復調され、消去された後に起こる。エンハンスメントレイヤＳＮＲは、電力分割と、エンハンスメントレイヤのために使用される空間レイヤとに依存し得る。しかし、エンハンスメントレイヤＳＮＲは、ベースレイヤ信号が消去されるので、ベースレイヤのために使用される空間レイヤとは無関係であり得る。従って、同じエンハンスメントレイヤＣＱＩが、複数のＴＳのために適用され得、ここで、エンハンスメントレイヤの空間レイヤは同じであるが、ベースレイヤのための空間レイヤは異なる。
【００４２】
[0059]  報告されるＣＱＩの数は、ＵＥ１１５によって考慮されるＴＳの数をそれのＣＱＩ計算において最初に低減することによって、低減され得る。ＵＥ１１５によって考慮されるＴＳの数を低減することは、基地局がＭＩＭＯまたはＮＯＭＡフォーマットの下でＵＥの有効なグループ化を決定する確率を、増加させ得る。ＵＥ１１５によって考慮されるＴＳの数を低減することはまた、ＵＥ１１５にとってのＣＱＩ計算の複雑さを低下させ得る。基地局１０５は、ＵＥ１１５からのＣＱＩ報告に基いて、ＵＥ１１５へのＭＩＭＯまたはＮＯＭＡ送信のスケジューリングを行い得る。
【００４３】
[0060]  上述のように、本開示の様々な態様は、複数のレイヤ上での送信を対象とする。図１Ｂに、本開示の様々な態様による、基地局１０５−ａがＭＩＭＯおよび／またはＮＯＭＡ技法を使用して通信し得るシステム１００−ａを示す。システム１００−ａは、例えば、図１Ａに示されているワイヤレス通信システム１００の態様を示し得る。図１Ｂの例において、基地局１０５−ａは、基地局１０５−ａのカバレージエリア１１０−ａ内のいくつかのＵＥ１１５−ａ、１１５−ｂ、および１１５−ｃと通信し得る。この例では、複数のレイヤがワイヤレス通信のために採用され得る。例えば、１つまたは複数のベースレイヤおよび１つまたは複数のエンハンスメントレイヤが、基地局１０５−ａとＵＥ１１５との間の１つまたは複数の空間レイヤを介して同時に送信され得る。（１つまたは複数の）ベースレイヤは、いくつかの例によれば、カバレージエリア１１０−ａ内のＵＥ１１５が、（１つまたは複数の）ベースレイヤ上で送信されたコンテンツを復号することが可能であることになる比較的高い可能性を生じる、送信パラメータ（例えば、より高い送信電力）を用いて送信され得る。（１つまたは複数の）エンハンスメントレイヤは、様々な例によれば、（１つまたは複数の）ベースレイヤと比較して、基地局１０５−ａとＵＥ１１５との間の比較的低い信頼性を生じる、送信パラメータ（例えば、より低い送信電力など）を用いて送信され得る。従って、（１つまたは複数の）エンハンスメントレイヤ上での送信は、信頼できる受信および復号を有するために、比較的良好なチャネル状態を有するＵＥ１１５に与えられ得る。
【００４４】
[0061]  上述のように、エンハンスメントレイヤは、ベースレイヤと比較して受信の成功のより低い可能性を有し得、受信の成功の可能性は基地局１０５−ａとＵＥ１１５との間のチャネル状態に大きく依存する。図１Ｂに示されているようないくつかの展開において、ＵＥ１１５−ａおよび１１５−ｂは、領域１５５中の基地局１０５−ａの比較的近くに位置し得るが、ＵＥ１１５−ｃは、基地局１０５−ａのカバレージエリア１１０−ａのセルエッジのより近くに位置し得る。領域１５５中に位置するＵＥ１１５−ａおよび１１５−ｂが階層および／または重畳変調につながるチャネル状態を有すると決定された場合、基地局１０５−ａは、そのような通信が採用され得ることをＵＥ１１５−ａおよび１１５−ｂにシグナリングし得る。そのような場合、通信リンク１２５−ａは、ベースレイヤとエンハンスメントレイヤとの両方を含み得、ＵＥ１１５−ａおよび１１５−ｂは、レイヤのうちの１つまたは複数上での通信をサポートし得る。エンハンスメントレイヤが意図されるＵＥ１１５は、エンハンスメントレイヤを復号する前に、ベースレイヤの干渉消去を行い得る。
【００４５】
[0062]  追加または代替として、カバレージエリア１１０−ａのセルエッジのより近くに位置し、領域１５５の外部にある、ＵＥ１１５−ｃは、通信リンク１２５−ｂ中でベースレイヤのみを使用して通信するようにシグナリングされ得る。通信リンク１２５−ｂは依然としてベースレイヤとエンハンスメントレイヤとの両方を用いて送信され得るが、ＵＥ１１５−ｃは、エンハンスメントレイヤ上で変調されたコンテンツの受信および復号に成功する可能性が比較的低いので、エンハンスメントレイヤを復号しようと試みないことがある。この場合、別のＵＥ（図示せず）が、通信リンク１２５−ｂを受信し得、それがエンハンスメントレイヤを受信できるようにベースレイヤを消去し得る。他の例において、ＵＥ１１５のうちの１つまたは複数は、エンハンスメントレイヤ送信を受信し、復号する能力を有しないことがあり、その場合、ベースレイヤが、確立された技法に従って単に受信され、復号される。
【００４６】
[0063]  図２に、本開示の様々な態様による、非直交チャネルを介した拡張スケジューリングのためのチャネルフィードバックを採用し得る例示的なワイヤレス通信システム２００を示す。システム２００では、ＵＥ１１５−ｄ、１１５−ｅ、１１５−ｆ、および１１５−ｇが、基地局１０５−ｂに接続され得る。基地局１０５−ｂは、いくつかの方法でＵＥ１１５のための送信リソースを構成し得る。例えば、基地局１０５−ｂは、ＵＥグループ２３０−ａによって示されているように、ＭＵ−ＭＩＭＯまたはＮＯＭＡ送信のためにＵＥ１１５−ｄとＵＥ１１５−ｅとをペアリングまたはグループ化し得る。代替的に、基地局１０５−ｂは、ＵＥグループ２３０−ｂによって示されているように、ＭＵ−ＭＩＭＯまたはＮＯＭＡ送信のためにＵＥ１１５−ｄとＵＥ１１５−ｆとをグループ化し得る。基地局１０５−ｂは、ＵＥ１１５−ｄ、１１５−ｅ、１１５−ｆ、および１１５−ｇからのチャネルフィードバック報告に少なくとも一部基いて、グループ化を決定し得る。例えば、ＵＥ１１５−ｄは、ＴＳの特定のレイヤのためのＣＱＩを基地局１０５−ｂに報告し得る。ＵＥ１１５−ｅが、ＵＥ１１５−ｄのために報告されたＣＱＩと相補関係にあるレイヤおよびＴＳのためのＣＱＩを基地局１０５−ｂに報告した場合、基地局１０５−ｂは、ＭＵ−ＭＩＭＯまたはＮＯＭＡダウンリンク送信のためにＵＥ１１５−ｄとＵＥ１１５−ｅとをグループ化し得る。
【００４７】
[0064]  ＭＵ−ＭＩＭＯダウンリンク送信は、一定数のアンテナまたはアンテナポート（例えば、２ＴＸ、４ＴＸなど）を使用し得る。２ＴＸにおいて、ＴＳは、２つのプリコーディング行列、
【００４８】
【数１】
0006495445.tif 000002
【００４９】
および
【００５０】
【数２】
0006495445.tif 000003
【００５１】
のうちの１つを使用し得る。ＮＯＭＡ技法が適用され得、空間レイヤが共有され、各プリコーディング行列のために２つの空間レイヤの９つの組合せを生じる。９つの組合せは、ＵＥが異なる空間レイヤを使用すること、各ＵＥが空間レイヤ０のみを使用すること、各ＵＥが空間レイヤ１のみを使用すること、あるいは一方または両方のＵＥが両方の空間レイヤを使用することを含む。ＴＳはまた、異なるベースレイヤおよびエンハンスメントレイヤ電力分割を使用し、より多くの潜在的組合せを生じ得る。様々な電力分割条件と、異なる空間レイヤとの下でのベースレイヤおよびエンハンスメントレイヤのための全ての組合せのためのフィードバックを報告することは、負担になる測定および報告オーバーヘッドを生じ得る。
【００５２】
[0065]  各ＵＥ１１５は、ＭＵ−ＭＩＭＯおよび／またはＮＯＭＡ送信のために基地局１０５によってグループ化される高い確率を達成するために、ＴＳの測定セットを考慮し得る。測定セットは、ＴＳ選択基準のセットに基いて選択され得る。例えば、電力分割比の予め定義されたまたは構成可能なセットが使用され得、これは、空間レイヤ使用に依存し得る。グループ化されたＵＥ間の電力分割は、共有空間レイヤがないとき、５０％−５０％であり得る。他の場合、グループ化されたＵＥ間の電力分割は、１つまたは複数の所定値（例えば、８０％−２０％、７０％−３０％など）によって与えられ得る。各ＵＥは、空間レイヤ使用のための７つの組合せ、（０−０）、（１−１）、（０−１）、（１−０）、（０−０１）、（１−０１）、および（０１−０１）を考慮し得、ここで、それぞれ、第１の数字は、所与のＴＳの下でのベースレイヤ送信のために使用される空間レイヤを示し、第２の数字は、所与のＴＳにおけるエンハンスメントレイヤ送信のための（１つまたは複数の）空間レイヤを示す。例えば、空間レイヤ使用（０−０１）をもつＴＳは、レイヤ０がベースレイヤ送信のために使用され、レイヤ０および１がエンハンスメントレイヤ送信（例えば、１つまたは複数の他のレイヤの干渉消去を仮定する送信）のために使用されることを示す。測定セットは、以下で説明するように、空間レイヤ組合せの各々のためにベースレイヤおよびエンハンスメントレイヤＣＱＩを含み得る。いくつかの例において、空間レイヤ組合せ（０−０）および（１−１）に対応するＴＳは、測定セットから省略され得る。
【００５３】
[0066]  従って、２ＴＸにおいて、測定セットは、（７個の空間レイヤ組合せを各々がもつ、２つのプリコーディング行列を使用するＴＳに対応する）１４個のベースレイヤＣＱＩを含み得る。空間レイヤ組合せ（０−０）、（１−１）、（０−０１）、（１−０１）、（０１−０１）のためのベースレイヤＣＱＩは、８０％の電力を仮定して計算され得、空間レイヤ組合せ（０−１）および（１−０）のためのベースレイヤＣＱＩは、５０％の電力を仮定して計算され得る。ＵＥは、（例えば、ベースレイヤの干渉消去を仮定して）ベースレイヤの空間レイヤ使用を考慮することなしに、エンハンスメントレイヤＣＱＩを計算し得る。従って、測定セットはまた、２０％の電力を仮定して計算された３つの空間レイヤ組合せ（例えば、空間レイヤ０、空間レイヤ１、および両方の空間レイヤ上の（１つまたは複数の）エンハンスメントレイヤ）と、５０％の電力を仮定する各空間レイヤのためのエンハンスメントレイヤＣＱＩとを各々がもつ、２つのプリコーディング行列を使用するＴＳに対応する１０個のエンハンスメントレイヤＣＱＩを含み得る。すなわち、空間レイヤ組合せ（０−１）および（１−０）のためのＣＱＩは、干渉消去なしを仮定して与えられ（例えば、ベースレイヤＣＱＩ）、および干渉消去を仮定して与えられ得る（例えば、エンハンスメントレイヤＣＱＩ）。他の例において、空間レイヤ組合せ（０−１）および（１−０）のためのエンハンスメントレイヤＣＱＩはドロップされ、報告される６つのエンハンスメントレイヤＣＱＩを生じ得る。共有空間レイヤのための単一の所定電力分割比に関して説明したが、測定セットは、より多くのスケジューリングフレキシビリティを与えるために、追加の比を用いて拡張され得ることを理解されたい。
【００５４】
[0067]  ４ＴＸにおいて、ＴＳは、４×４プリコーディング行列を使用し得る。マルチパス伝搬状態に基いて、ベースレイヤＵＥおよびエンハンスメントレイヤＵＥは、それぞれ、空間レイヤのセットを決定し得る。いくつかの例では、１６個の４×４プリコーディング行列が定義され得る。しかしながら、空間レイヤ、ベースレイヤ、および／またはエンハンスメントレイヤ割当てのために選択するためのより少ない数の４×４プリコーディング行列を生じるために、４ＴＸ  ＭＵ−ＭＩＭＯおよび／またはＮＯＭＡのための予め定義されたプリコーディング行列のサブセットの使用が拡張され得る。サブセットは、低ランク送信のためにまたは互いに無関係に使用される行列であり得る。サブセットを選択することが、効果的に５つの４×４プリコーディング行列を生じ得る。各プリコーディング行列のために、エンハンスメントレイヤおよびベースレイヤのための空間レイヤの２２５個の組合せがあり得る。２２５個の組合せは、ベースレイヤとエンハンスメントレイヤとのクロス積であり、各々が４つの空間レイヤの任意のサブセットを使用する。ベースレイヤとエンハンスメントレイヤとの間の各電力分割のために、ＴＳの１つのセットがあり得る。共有空間レイヤのための単一の所定電力分割比に関して説明したが、測定セットは、より多くのスケジューリングフレキシビリティを与えるために、追加の比を用いて拡張され得ることを理解されたい。
【００５５】
[0068]  各ＵＥ１１５は、ＭＵ−ＭＩＭＯおよび／またはＮＯＭＡのために基地局１０５によってグループ化される高い確率を達成するために、ＴＳの測定セットを選択するためのＴＳ選択基準を適用し得る。４ＴＸを使用するＭＵ−ＭＩＭＯおよび／またはＮＯＭＡのいくつかの例において、測定セットは、（５０個の空間レイヤ組合せを各々がもつ、５つのプリコーディング行列を使用するＴＳに対応する）２５０個のベースレイヤＣＱＩを含み得る。測定セットはまた、（１４個の空間レイヤ組合せを各々がもつ、５つのプリコーディング行列を使用するＴＳに対応する）７０個のエンハンスメントレイヤＣＱＩを含み得る。
【００５６】
[0069]  ４ＴＸを使用するＭＵ−ＭＩＭＯおよび／またはＮＯＭＡのいくつかの例において、ＵＥ１１５は、ベースレイヤおよびエンハンスメントレイヤが非重複空間レイヤセットを使用する、ＴＳの測定セットを決定し得る。この条件は、ＴＳの測定セットを各プリコーディング行列について５０個まで低減し得る。これらのＴＳのための２つのＵＥ間の電力分割は、５０％−５０％であり得る。
【００５７】
[0070]  基地局１０５−ｂに送られるＣＱＩ報告の総量は、報告すべきＴＳの測定セットのサブセットを決定することによって低減され得る。しかしながら、サブセットのサイズを低減することは（例えば、１つのＣＱＩのサブセット）、有効なグループ化が基地局１０５−ｂによって見つけられる確率を低減し得る。基地局１０５−ｂが有効なグループ化を見つけるために、基地局１０５−ｂは、それらをグループ化するために、同じＴＳの下で、１つのＵＥからのベースレイヤＣＱＩと別のＵＥからのエンハンスメントレイヤＣＱＩとを取得し得る。報告されたＣＱＩのサブセットがより小さい場合、基地局１０５−ｂは、有効なグループ化を見つけるために、より多数のＵＥからＣＱＩを取得し得る。
【００５８】
[0071]  各ＣＱＩ報告は、ＣＱＩ自体のための４ビットを含み得る。各ＣＱＩ報告はまた、ＣＱＩに対応するＴＳの指示を含み得る。ＴＳの指示は、ＴＳ空間のアドレス指定と見なされ得る。指示は、明示的アドレス指定、暗黙的アドレス指定、または暗黙的アドレス指定と明示的アドレス指定の混合であり得る。
【００５９】
[0072]  暗黙的アドレス指定は、基地局１０５−ｂとＵＥの両方が、報告されたＣＱＩ関連するＴＳのサブセットに気づいているときに生じる。例えば、基地局１０５−ｂまたはＵＥのいずれかが、報告されることになる所定数ＭのＣＱＩを決定し、ＣＱＩ報告が送られる前に他方の当事者に通知し得る。例えば、基地局１０５−ｂおよびＵＥは、ＣＱＩを報告するためのＴＳの予め定義された順序に関して同意し得、次いで、ＵＥは、予め定義された順序でＭ個のＣＱＩを報告し得る。
【００６０】
[0073]  明示的アドレス指定は、ＣＱＩ自体とともに、ＵＥが、ＣＱＩに対応するＴＳのＣＱＩ報告中に指示をも含めたときに生じる。例えば、ＵＥは、ＣＱＩがＴＳに対応することを示し得、ここで、ＵＥは、等電力分割の下で、ベースレイヤとして空間レイヤ０を用いてサービスされ、空間レイヤ１に干渉される。明示的、暗黙的、および混合アドレス指定に関するさらなる詳細が以下で与えられる。
【００６１】
[0074]  いくつかの例では、報告選択基準が、報告すべきＴＳの測定セットのサブセットを決定する際に適用され得る。いくつかの例において、報告選択基準は連続選択基準であり得る。連続選択基準は、データレートしきい値および／またはＣＱＩをそれのために報告する所定数のＴＳを含み得る。例えば、ＴＳの測定セットのための最高Ｍ個のデータレートが報告され得る。最高Ｍ個のデータレートは、データレートによってＴＳの測定セットのＣＱＩを分類すること（ベースレイヤおよびエンハンスメントレイヤ）によって決定され得、次いで、最高Ｍ個のデータレートをもつＣＱＩが報告され得る。Ｍの値は、（例えば、被サービスＵＥの数などに基いて）経験的に決定されるか、あるいは、ＵＥまたは基地局のいずれかによって扱われ得るチャネルフィードバックの量によって決定される。
【００６２】
[0075]  追加または代替として、ＵＥは、報告すべきＴＳの測定セットのサブセットを決定する際に、データレートしきい値を適用し得る。図３は、本開示の様々な態様による、ＣＱＩ報告領域３０５の一例を示す図３００である。図３００では、ＵＥ０が、可能なシングルユーザデータレート３１０を決定し得、ＵＥ１が、可能なシングルユーザデータレート３１５を決定し得る。概念的に、時分割多重化（ＴＤＭ）ライン３２０は、ＵＥ０シングルユーザデータレート３１０と、ＵＥ１シングルユーザデータレート３１５とを結合し得る。すなわち、ＴＤＭラインを下回るデータレートを生じるＵＥ０とＵＥ１とをグループ化するＴＳについて、同じかまたはより良い結果が、ＴＳを適用することによってではなく、（直交技法を使用する）ＴＤＭ方式によって得られ得る。しかしながら、ＵＥが、報告するためのＣＱＩを決定しているとき、各ＵＥは、それがどの他のＵＥとグループ化され得るのかに気づいていないことがある。従って、各ＵＥは、報告すべきＴＳの測定セットのサブセットを決定するための基準として最小データレートしきい値を使用し得、最小データレートしきい値は各ＵＥ自体のシングルユーザレートに基づき得る。いくつかの例において、最小データレートしきい値は、シングルユーザレートの１／２であり得る。従って、ＵＥ０は、シングルユーザデータレート３１０の１／２であり得る最小データレートしきい値３３０を適用することによって、ＣＱＩをそれのために報告すべき測定セットのＴＳを決定し得る。同様に、ＵＥ１は、シングルユーザデータレート３１５の１／２であり得る最小データレートしきい値３３５を適用することによって、ＣＱＩをそれのために報告すべき測定セットのＴＳを決定し得る。ＵＥ０のための報告されたＴＳとＵＥ１のための報告されたＴＳとが、相補的である場合、ＵＥ０のための報告されたＣＱＩとＵＥ１のための報告されたＣＱＩとは、報告領域３０５中にあることになる。報告領域３０５がＴＤＭライン３２０を上回るので、ＴＳを適用することは、ＴＤＭを適用することよりも、ＵＥ０とＵＥ１とのためのより良いアグリゲートデータレートを生じることになる。追加のＵＥは、各組合せが、該当ＵＥのためのＴＤＭライン３２０を個別に上回ると決定されたとき、特定のＴＳのためにグループ化され得る。例えば、ＴＳが、ＵＥ０のために空間レイヤ０を使用し、ＵＥ１とＵＥ２とのために空間レイヤ１を使用して（例えば、ＮＯＭＡ技法を使用して）、ＵＥ０とＵＥ１とＵＥ２とをグループ化し得る。この組合せは、空間レイヤ分割のためのＵＥ０とＵＥ１またはＵＥ２の組合せが、ＴＤＭライン３２０を上回り、ＮＯＭＡを使用するＵＥ１とＵＥ２との組合せも、空間レイヤ１についてＴＤＭライン３２０を上回る場合に、有益であり得る。
【００６３】
[0076]  追加または代替として、報告選択基準はランダム選択基準であり得る。例えば、ＵＥは、測定セットのＭ個のＴＳをランダムに選択することによって、ＣＱＩをそれのために報告すべき測定セットのＴＳを決定し得る。いくつかの例において、ランダム選択基準は、最小データレートしきい値と最大データレートしきい値とを含み得る。最小および最大データレートしきい値は、ＵＥのためのユーザレート（例えば、各ＵＥのための最高シングルユーザレート、長期信号対雑音比（ＳＮＲ）など）に基づき得る。いくつかの例において、最大データレートしきい値は、各ＵＥのための最高シングルユーザレートであり得、最小データレートしきい値は、ＵＥのための最高シングルユーザレートの割合（例えば、４０％、５０％など）に基づき得る。
【００６４】
[0077]  各ＵＥは、ＵＥのフィルタ処理された（例えば、長期）ＳＮＲに基いて、報告選択基準を識別し得る。例えば、比較的高い長期ＳＮＲを有するＵＥは、ランダム選択基準を使用し得、比較的低い長期ＳＮＲを有するＵＥは、連続選択基準を使用し得る。比較的高い長期ＳＮＲを有するＵＥのためにランダム選択基準を使用することは、ＣＱＩがそれのために報告されるＴＳの範囲を増加させ、これは、ＭＵ−ＭＩＭＯおよび／またはＮＯＭＡ  ＴＳに従う送信のために、そのＵＥを比較的低い長期ＳＮＲを有する別のＵＥとグループ化する確率を増加させ得る。代替的に、各ＵＥは、連続選択基準が使用されるべきであるのかランダム選択基準が使用されるべきであるのかを示す基地局からの選択モードを受信し得る。基地局は、基地局によってサービスされているＵＥの一部または全部のＳＮＲに基いて、選択モードを決定し得る。
【００６５】
[0078]  図４に、本開示の様々な態様による、ワイヤレス通信システムのための例示的なメッセージフロー４００を示す。図４は、ＵＥ１１５−ｄと他のＵＥ１１５とのための非直交チャネルについてのチャネルフィードバックを示しており、他のＵＥ１１５は、例えば、図２のシステム２００に示されているＵＥ１１５−ｅ、１１５−ｆ、および１１５−ｇを含み得る。
【００６６】
[0079]  基地局１０５−ｂは基準信号４０５を送信し得、基準信号４０５は、ＣＲＳ、ＣＳＩ−ＲＳ、および／またはＵＥ−ＲＳを含み得、異なるアンテナポートから送信された同じタイプの複数の基準信号を含み得る。ＵＥ１１５−ｄは、基準信号４０５に少なくとも一部基いて、４１５において、ＴＳの測定セットを決定し、測定セットのＴＳの各々についてチャネル品質を推定し得る。ＵＥ１１５−ｄは、次いで、基地局１０５−ｂに報告するために、４２０において、ＴＳのサブセットと、対応するチャネル品質推定値とを決定し得る。サブセットは、図２または図３を参照しながら上記で説明したように、測定セットのチャネル品質推定値のデータレートと、報告選択基準とに基いて決定され得る。いくつかの例において、基地局１０５−ｂとＵＥ１１５とは、ＴＳ空間４１０を通信し得、ＴＳ空間４１０は、利用可能なＴＳのサブセットであり得、例えば、測定セットに対応し得る。
【００６７】
[0080]  ＵＥ１１５−ｄは、次いで、チャネルフィードバック報告４３０−ａを基地局１０５−ｂに送り得る。チャネルフィードバック報告４３０−ａは、報告されたＴＳのサブセットの報告ＣＱＩ値に対応するＴＳを示すために、明示的アドレス指定を使用し得る。明示的アドレス指定において、チャネルフィードバック報告４３０−ａは、チャネルフィードバック報告４３０−ａ中で報告されている各ＣＱＩに対応するＴＳ（例えば、ＴＳのサブセット）のインジケータをも含み得る。従って、ＵＥ１１５−ｄは、どのＴＳと、対応するＣＱＩとを報告すべきかを選択する自由を有し得る。
【００６８】
[0081]  図６Ａに、本開示の様々な態様による、明示的アドレス指定の一例のブロック図６００−ａを示す。ブロック図６００−ａに、例えば、図４のチャネルフィードバック報告４３０−ａの態様を示し得る、チャネルフィードバック報告６３０−ａを示す。明示的アドレス指定を用いて、チャネルフィードバック報告６３０−ａは、いくつかの（例えば、Ｍ個の）ＴＳインジケータフィールド６１５と、対応するＣＱＩフィールド６１０とを含み得る。例えば、ＴＳインジケータフィールド６１５−ａ−１、６１５−ａ−２、．．．、６１５−ａ−ｍは、それぞれ、ＣＱＩフィールド６１０−ａ−１、６１０−ａ−２、．．．、６１０−ａ−ｍに対応するＴＳの明示的指示を与え得る。
【００６９】
[0082]  ２ＴＸにおいて、各ＴＳインジケータフィールド６１５は、２つのプリコーディング行列を示すための１ビットと、空間レイヤ組合せおよびベースレイヤまたはエンハンスメントレイヤ（ベースレイヤのための７つの組合せおよびエンハンスメントレイヤのための５つの組合せ）を示すための４ビットとを含み得る。従って、各報告されたＣＱＩフィールド６１０のために、チャネルフィードバック報告６３０−ａは、各対応するＴＳインジケータフィールド６１５のための５ビットを含み得る。
【００７０】
[0083]  ４ＴＸにおいて、各ＴＳインジケータフィールド６１５は、４つのプリコーディング行列を示すための２ビット（または最高８つのプリコーディング行列のための３ビット）と、空間レイヤ組合せおよびベースレイヤまたはエンハンスメントレイヤ（ベースレイヤのための５０個の組合せおよびエンハンスメントレイヤのための１４個の組合せ）を示すための６ビットとを含み得る。従って、チャネルフィードバック報告６３０−ａは、ＴＳインジケータフィールド６１５のための８ビットを含み得る。
【００７１】
[0084]  ブロック図６００−ａに、各ＣＱＩフィールド６１０のための１つのＴＳインジケータフィールド６１５を示す。サブセットが複数のＴＳを含むとき、複数のＴＳのためのインジケータは圧縮され得る。図６Ｂに、本開示の様々な態様による、圧縮されたＴＳインジケータフィールドを使用する明示的アドレス指定の一例のブロック図６００−ｂを示す。ブロック図６００−ｂに、例えば、図４のチャネルフィードバック報告４３０−ａの態様を示し得る、チャネルフィードバック報告６３０−ｂを示す。ブロック図６００−ｂにおいて、チャネルフィードバック報告６３０−ｂは、ＣＱＩフィールド６１０−ｂ−１、６１０−ｂ−２、．．．、６１０−ｂ−ｍ中で報告されたＴＳの圧縮された指示を与え得る、ＴＳインジケータフィールド６１５−ｂを含む。
【００７２】
[0085]  上記で説明したように、２ＴＸのためのＴＳ空間は、共有空間レイヤのための単一の電力分割比に基いて、２４個の利用可能なＴＳを含み得る。Ｍ＝２である場合、ＵＥは、９ビットで示され得る、報告されるべきＴＳ空間のＴＳのサブセットのための
【００７３】
【数３】
0006495445.tif 000004
【００７４】
個の選択肢を有し得る。Ｍ＝３である場合、ＵＥは、１１ビットで示され得る、ＴＳのサブセットのための
【００７５】
【数４】
0006495445.tif 000005
【００７６】
個の選択肢を有し得る。Ｍが極めて大きい場合、各ＴＳに対応するＣＱＩが報告されるかどうかを示すために、長さ２４のビットマスク（１ビットがＴＳ空間中の各ＴＳに対応する）が使用され得る。
【００７７】
[0086]  ４ＴＸでは、Ｍ＝２である場合、ＵＥは、１５ビットで示され得る、ＴＳのサブセットのための
【００７８】
【数５】
0006495445.tif 000006
【００７９】
個の選択肢を有し得る。Ｍ＝３である場合、ＵＥは、２２ビットで示され得る、ＴＳのサブセットのための
【００８０】
【数６】
0006495445.tif 000007
【００８１】
個の選択肢を有し得る。Ｍが極めて大きい場合、各ＴＳに対応するＣＱＩが報告されるかどうかを示すために、長さ２６５のビットマスク（１ビットがＴＳ空間中の各ＴＳに対応する）が使用され得る。
【００８２】
[0087]  再び図４を参照すると、チャネルフィードバック報告４３０−ａは、報告されたＴＳのサブセットの暗黙的アドレス指定を使用し得る。暗黙的アドレス指定は、基地局１０５−ｂとＵＥ１１５−ｄの両方が、報告されるべきＴＳのサブセットとＣＱＩ値の順序とに関して同意するときに生じ得る。例えば、基地局１０５−ｂとＵＥ１１５−ｄとは、ＴＳ空間４１０を交換し得る。チャネルフィードバック報告４３０−ａは、ＴＳ空間４１０のためのチャネル品質のインジケータ（例えば、ＣＱＩ）を含み得る。
【００８３】
[0088]  図７に、本開示の様々な態様による、暗黙的アドレス指定の一例のブロック図７００を示す。７００を示すブロック図は、例えば、図４のＴＳ空間４１０の態様を示し得る、ＴＳ空間７１０を示す。
【００８４】
[0089]  ＴＳ空間７１０中のＴＳフィールド６１５の順序は、チャネルフィードバック報告７３０中のＣＱＩフィールド６１０に対応するＴＳの暗黙的指示を与え得る。例えば、チャネルフィードバック報告７３０は、ＴＳ空間７１０のＴＳフィールド６１５−ｃ−１、６１５−ｃ−２、．．．、６１５−ｃ−ｍにそれぞれ対応し得る、ＣＱＩフィールド６１０−ｃ−１、６１０−ｃ−２、．．．、６１０−ｃ−ｍを含み得る。暗黙的アドレス指定は、対応するＴＳインジケータフィールドがチャネルフィードバック報告７３０中で必要とされないので、効率的なＣＱＩ報告を可能し得る。代わりに、基地局１０５は、ＣＱＩフィールドが報告される順序に基いて、チャネルフィードバック報告７３０中の各ＣＱＩフィールドに対応するＴＳを決定し得る。ＴＳ空間７１０は、チャネルフィードバック報告７３０よりも低い頻度で送られ得る。
【００８５】
[0090]  図４に戻ると、基地局１０５−ｂがＴＳ空間４１０を決定するとき、基地局１０５−ｂは、何らかの他の形態のチャネルフィードバックを必要とし得る。ＵＥ１１５−ｄがＴＳ空間４１０を決定するとき、基地局１０５−ｂは、ＴＳ空間４１０を決定するための１つまたは複数の選択基準を与え得る。ＴＳ空間４１０は、チャネルフィードバック報告４３０−ａよりも遅いレートで更新され得る。例えば、基地局１０５−ｂまたはＵＥ１１５は、チャネルを監視し、ＴＳ空間４１０を半静的に更新し得る。例えば、ＴＳ空間４１０は、上位レイヤシグナリング（例えば、ＲＲＣシグナリング、ＭＡＣ制御シグナリングなど）を通して更新され得る。
【００８６】
[0091]  基地局１０５−ｂによってサービスされる他のＵＥ１１５も、ＴＳ空間４１０を交換し、チャネルフィードバック報告４３０−ｂを与え得る。基地局１０５−ｂは、チャネルフィードバック報告４３０に基いて性能を最適化するためにスケジューリング４３５を行い得る。スケジューリング４３５は、ＵＥ１１５への非直交チャネルを介した送信のためのＵＥ１１５の有効なグループ化を決定するために、チャネルフィードバック報告４３０を使用することを含み得る。例えば、基地局１０５−ｂは、図２に示されているように、ＭＵ−ＭＩＭＯのためのＵＥグループ２３０−ａを含むグループ化、またはＭＵ−ＭＩＭＯのためのＵＥグループ２３０−ｂを含むグループ化を決定し得る。基地局１０５−ｂは、次いで、受信されたチャネルフィードバック報告４３０中のＣＱＩに基いて、基地局１０５−ｂによってサービスされるＵＥ１１５へのＤＬ送信４４０を送信し得る。ＤＬ送信４４０は、シングルユーザ送信（例えば、ＦＤＭＡ、ＳＵ−ＭＩＭＯなど）および／またはマルチユーザ送信（例えば、ＮＯＭＡ、ＭＵ−ＭＩＭＯなど）を含み得る。
【００８７】
[0092]  説明しやすいように、図４に、複数のＵＥ１１５について同時に生じるＴＳ空間４１０とチャネルフィードバック報告４３０とを示す。しかしながら、ＴＳ空間４１０とチャネルフィードバック報告４３０とは、異なる時間に異なるＵＥと交換され得ることを理解されたい。さらに、図４に、チャネルフィードバック報告４３０−ａおよび４３０−ｂに基づく送信４４０の一例を示す。しかしながら、基地局１０５−ｂは、追加のチャネルフィードバック報告４３０に基いて、非直交チャネルを介した（例えば、後続のフレームまたはサブフレームなどのための）送信を継続的にスケジュールし得ることを理解されたい。
【００８８】
[0093]  図５に、本開示の様々な態様による、ワイヤレス通信システムのための別の例示的なメッセージフロー５００を示す。図５は、ＵＥ１１５−ｄと他のＵＥ１１５とのための非直交チャネルについてのチャネルフィードバックを示しており、他のＵＥ１１５は、例えば、図２のシステム２００に示されているＵＥ１１５−ｅ、１１５−ｆ、および１１５−ｇを含み得る。
【００８９】
[0094]  基地局１０５−ｂは基準信号５０５を送信し得、基準信号５０５は、ＣＲＳ、ＣＳＩ−ＲＳ、および／またはＵＥ−ＲＳを含み得、異なるアンテナポートから送信された同じタイプの複数の基準信号を含み得る。例えば、基地局１０５−ｂとＵＥ１１５−ｄとは、ＴＳアドレス空間５１０を交換し得る。ＴＳアドレス空間５１０は、ＣＱＩ報告のために使用するためのＴＳと関連するインデックスとのリストを含み得る。
【００９０】
[0095]  図８Ａに、本開示の様々な態様による、ＴＳアドレス空間８１０を示す表８００−ａを示す。ＴＳアドレス空間８１０は、例えば、図５のＴＳアドレス空間５１０に対応し得る。ＴＳアドレス空間８１０は、ＴＳ８３０にそれぞれ関連付けられ得るＴＳインデックス８２５を含み得る。各ＴＳ８３０は、ＴＳに関連するＴＳパラメータのセットを含み得る。ＴＳパラメータは、例えば、プリコーディング行列、ＵＥへのデータストリームのための空間レイヤの第１のセット、少なくとも１つの他のＵＥへのデータストリームのための空間レイヤの第２のセット、該当チャネル品質を達成するために干渉消去が適用されるかどうか、電力分割比などを含み得る。
【００９１】
[0096]  図５に戻ると、ＵＥ１１５−ｄは、基準信号５０５に少なくとも一部基いて、５１５において、ＴＳの測定セットを決定し、測定セットのＴＳの各々についてチャネル品質を推定し得る。いくつかの例において、ＴＳの測定セットは、受信されたＴＳアドレス空間５１０に少なくとも一部基づき得る（例えば、ＴＳの測定セットは、ＴＳアドレス空間５１０中のＴＳの全部またはサブセットを含み得る、など）。
【００９２】
[0097]  ＵＥ１１５−ｄは、次いで、５２５において、基地局１０５−ｂに報告すべきＴＳのサブセットと、対応するチャネル品質推定値とを決定し得る。サブセットは、図２または図３を参照しながら上記で説明したように、測定セットのチャネル品質推定値のデータレートと、報告選択基準とに基いて決定され得る。
【００９３】
[0098]  ＵＥ１１５−ｄは、次いで、チャネルフィードバック報告５３０−ａを基地局１０５−ｂに送り得る。チャネルフィードバック報告５３０−ａは、ＴＳのサブセットに対応するＣＱＩフィールドを含み得る。図８Ｂに、本開示の様々な態様による、混合アドレス指定のためのチャネルフィードバック報告８３０の一例のブロック図８００−ｂを示す。チャネルフィードバック報告８３０は、例えば、図５のチャネルフィードバック報告５３０−ａであり得る。チャネルフィードバック報告８３０は、ＴＳのサブセット中の各ＴＳのためのＴＳアドレス空間８１０中のアドレスに対応するインデックスを含み得る。例えば、ＵＥ１１５は、１６個のＴＳを含む表８００−ａに示されているようなＴＳアドレス空間８１０で構成され得、８つのＣＱＩ値を報告するように構成され得る（例えば、Ｍ＝８）。チャネルフィードバック報告８３０は、各報告されたＣＱＩフィールド６１０のためのアドレスインデックスフィールド８１５を含むことによって、ＴＳアドレス空間８１０の報告されるＴＳを示し得る。例えば、ＴＳアドレスインデックスフィールド８１５−１、８１５−２、．．．、８１５−ｍは、ＣＱＩフィールド６１０−ｄ−１、６１０−ｄ−２、６１０−ｄ−ｍに対応し得る。代替的に、チャネルフィードバック報告８３０は、図６Ｂを参照しながら上記で説明したように圧縮またはビットマスクを使用し得る。例えば、どのＭ個のＣＱＩがチャネルフィードバック報告８３０に含まれるかを示すために長さ１６のビットマスクを使用すること。Ｍが比較的大きい場合、ビットマスクは、各報告されたＣＱＩ値のためのアドレスインデックスを含むことよりも効率的であり得る。例えば、ビットマスクを使用すると、チャネルフィードバック報告８３０は、各ＣＱＩに対応するＴＳを示すために合計１６＋（８×４）＝４８ビットを使用し得る。比較して、４ＴＸの場合にＭ＝８のための各ＣＱＩのために明示的アドレス指定を使用することは、同じＴＳを示すために合計（８×８）＋（８×４）＝９６ビットを使用し得る。
【００９４】
[0099]  基地局１０５−ｂによってサービスされる他のＵＥ１１５も、チャネルフィードバック報告５３０−ｂを与え得る。基地局１０５−ｂは、チャネルフィードバック報告５３０に基いて性能を最適化するためにスケジューリング５３５を行い得る。スケジューリング５３５は、ＵＥ１１５への非直交チャネルを介した送信のためのＵＥの有効なグループ化を決定するために、チャネルフィードバック報告５３０を使用することを含み得る。例えば、基地局１０５−ｂは、図２に示されているように、ＭＵ−ＭＩＭＯのためのＵＥグループ２３０−ａを含むグループ化、またはＭＵ−ＭＩＭＯのためのＵＥグループ２３０−ｂを含むグループ化を決定し得る。基地局１０５−ｂは、次いで、受信されたチャネルフィードバック報告５３０中のＣＱＩに基いて、基地局１０５−ｂによってサービスされるＵＥ１１５へのＤＬ送信５４０を送信し得る。ＤＬ送信５４０は、シングルユーザ送信（例えば、ＦＤＭＡ、ＳＵ−ＭＩＭＯなど）および／またはマルチユーザ送信（例えば、ＮＯＭＡ、ＭＵ−ＭＩＭＯなど）を含み得る。
【００９５】
[0100]  説明しやすいように、図５に、複数のＵＥについて同時に生じるＴＳアドレス空間５１０とチャネルフィードバック報告５３０との交換を示す。しかしながら、ＴＳアドレス空間５１０とチャネルフィードバック報告５３０とは、異なる時間に異なるＵＥと交換され得ることを理解されたい。さらに、図５に、チャネルフィードバック報告５３０に基づく送信５４０の一例を示す。しかしながら、基地局１０５−ｂは、追加のチャネルフィードバック報告５３０に基いて、（例えば、後続のフレームまたはサブフレームなどのための）送信を継続的にスケジュールし得ることを理解されたい。
【００９６】
[0101]  図９に、本開示の様々な態様による、ワイヤレス通信システムにおける非直交チャネルフィードバックのためのデバイス９０５のブロック図９００を示す。デバイス９０５は、図１Ａ、図１Ｂ、図２、図４、または図５を参照しながら説明したＵＥ１１５の１つまたは複数の態様の一例であり得る。デバイス９０５は、受信機９１０と、送信機９２０と、非直交フィードバックプロセッサ９３０とを含み得る。デバイス９０５はまた、プロセッサ（図示せず）であるか、またはプロセッサを含み得る。これらの構成要素の各々は互いと通信していることがある。
【００９７】
[0102]  受信機９１０は、パケット、ユーザデータ、ならびに／あるいは、様々な信号（例えば、基準信号など）および／または情報チャネル（例えば、制御チャネル、データチャネルなど）に関連する制御情報など、情報を受信するように動作可能な少なくとも１つの無線周波数（ＲＦ）受信機を含み得る。受信機９１０は、複数のアンテナを有し、基準信号（例えば、ＣＲＳ、ＣＳＩ−ＲＳ、ＵＥ−ＲＳなど）などの信号およびＴＳ情報を受信し、復調し、復号するように構成され得る。受信機９１０は、復号された信号９１５を非直交フィードバックプロセッサ９３０に渡し得る。
【００９８】
[0103]  非直交フィードバックプロセッサ９３０は、ＴＳの測定セットを決定し、測定セットの該当ＴＳに対応するデバイス９０５へのダウンリンク送信のためのチャネル品質を推定し得る。非直交フィードバックプロセッサ９３０は、次いで、ＴＳの測定セットのサブセットについてチャネル品質のインジケータを含むチャネルフィードバック報告を生成し得る。
【００９９】
[0104]  送信機９２０は、上記で説明したように、デバイス９０５の他の構成要素から受信された１つまたは複数の信号９２５を送信するように動作可能な少なくとも１つのＲＦ送信機を含み得る。いくつかの例において、送信機９２０は、トランシーバにおいて受信機９１０とコロケートされ得る。
【０１００】
[0105]  図１０に、本開示の様々な態様による、ワイヤレス通信システムにおけるチャネルフィードバックのための非直交フィードバックプロセッサ９３０−ａのブロック図１０００を示す。非直交フィードバックプロセッサ９３０−ａは、例えば、図９の非直交フィードバックプロセッサ９３０の態様を示し得る。
【０１０１】
[0106]  非直交フィードバックプロセッサ９３０−ａは、ＴＳ測定セット識別器１０４０と、チャネル品質推定器１０５０と、チャネルフィードバックレポータ１０７０とを含み得る。ＴＳ測定セット識別器１０４０は、非直交チャネルのための測定およびチャネル推定を行うためのＴＳの測定セット１０２５を決定し得る。ＴＳ測定セット識別器１０４０は、測定セット１０２５を決定するために、ＴＳ選択基準１０４５のセットを利用可能なＴＳ空間に適用し得る。ＴＳ選択基準１０４５のセットは、電力分割選択基準、デバイスに送信されたデータストリームのための空間レイヤ選択基準、少なくとも１つの他のデバイスに送信されたデータストリームのための空間レイヤ選択基準、またはそれらの組合せのうちのいずれかを含み得る。ＴＳの各々は、プリコーディング行列、デバイスへのデータストリームのための空間レイヤの第１のセット、少なくとも１つの他のデバイスへのデータストリームのための空間レイヤの第２のセット、該当チャネル品質を達成するために干渉消去が適用されるかどうか、電力分割、またはそれらの組合せのうちのいずれかを含み得る。
【０１０２】
[0107]  チャネル品質推定器１０５０は、（例えば、受信機９１０などを介した）基準信号情報１０５５に基いて、ＴＳの測定セット１０２５のためのチャネル推定を行い得る。チャネル品質推定器１０５０は、測定セットのためのＣＱＩ情報１０３５をチャネルフィードバックレポータ１０７０に与え得る。チャネルフィードバックレポータ１０７０は、測定セット１０２５のＴＳのサブセットについてのチャネル品質フィードバックを報告し得る。チャネルフィードバックレポータ１０７０は、上記で説明したように、連続選択基準またはランダム選択基準を含み得る報告選択基準１０６０に基いて、測定セットのサブセットを決定し得る。
【０１０３】
[0108]  いくつかの例において、ＴＳ測定セット識別器１０４０は、ＴＳ空間情報１０２０を基地局と（例えば、半静的に）交換し得る。ＴＳ空間情報１０２０は、例えば、図７を参照しながら上記で説明した報告されたＣＱＩの暗黙的アドレス指定のための報告順序、または、図８Ａおよび図８Ｂを参照しながら上記で説明した混合アドレス指定のためのＴＳアドレス空間を含み得る。
【０１０４】
[0109]  チャネルフィードバックレポータ１０７０は、上記で説明したように、明示的アドレス指定、暗黙的アドレス指定、または混合アドレス指定を使用して、測定セットのサブセットについてのＣＱＩを報告し得る。例えば、チャネルフィードバックレポータ１０７０は、図６、図７、または図８を参照しながら説明したチャネルフィードバック報告６３０、７３０、または８３０に従ってフォーマットされ得る、チャネルフィードバック報告１０３０を（例えば、送信機９２０などを介して）送り得る。
【０１０５】
[0110]  図１１に、本開示の様々な態様による、ワイヤレス通信システムのためのＵＥ１１５−ｈのブロック図１１００を示す。ＵＥ１１５−ｈは、図１Ａ、図１Ｂ、図２、図４または図５のＵＥ１１５の一例であり得る。ＵＥ１１５−ｈはまた、図９および図１０のデバイス９０５の１つまたは複数の態様の一例であり得る。
【０１０６】
[0111]  ＵＥ１１５−ｈは、概して、通信を送信するための構成要素と通信を受信するための構成要素とを含む、双方向音声およびデータ通信のための構成要素を含み得る。ＵＥ１１５−ｈは、（１つまたは複数の）アンテナ１１４０と、（１つまたは複数の）トランシーバ１１３５と、（１つまたは複数の）プロセッサ１１０５と、（ソフトウェア（ＳＷ）１１２０を含む）メモリ１１１５とを含み得、それらはそれぞれ、（例えば、１つまたは複数のバス１１４５を介して）直接的または間接的に互いに通信し得る。（１つまたは複数の）トランシーバ１１３５は、上記で説明したように、（１つまたは複数の）アンテナ１１４０、および／あるいは１つまたは複数のワイヤードまたはワイヤレスリンクを介して、１つまたは複数のネットワークと双方向に通信するように構成され得る。例えば、（１つまたは複数の）トランシーバ１１３５は、基地局１０５および／または他のＵＥ１１５と双方向に通信するように構成され得る。（１つまたは複数の）トランシーバ１１３５は、パケットを変調し、変調されたパケットを送信のために（１つまたは複数の）アンテナ１１４０に与え、（１つまたは複数の）アンテナ１１４０から受信されたパケットを復調するように構成されたモデムを含み得る。ＵＥ１１５−ｈは、複数のワイヤレス送信（例えば、ＭＩＭＯ送信など）を同時に送信することおよび／または受信することが可能な複数のアンテナ１１４０を有し得る。（１つまたは複数の）トランシーバ１１３５は、複数のコンポーネントキャリアを介して１つまたは複数の基地局１０５と同時に通信することが可能であり得る。
【０１０７】
[0112]  ＵＥ１１５−ｈは、ＴＳを決定することと、ＴＳに対応するＣＱＩを決定することと、ＣＱＩおよび／またはＴＳを基地局に報告することとに関係する、図９および図１０を参照しながら上記で説明した特徴および／または機能の一部または全部を行うおよび／または制御するように構成され得る、非直交フィードバックプロセッサ９３０−ｂを含み得る。いくつかの例において、非直交フィードバックプロセッサ９３０−ｂは、ソフトウェア／ファームウェアコード１１２０の一部であり得、プロセッサ１１０５に、本明細書で説明する様々な機能（例えば、ＴＳのサブセットを決定すること、暗黙的アドレス指定、明示的アドレス指定、または混合アドレス指定を使用してＴＳのサブセットおよび／または対応するＣＱＩを報告することなど）を行わせるように構成された命令を含み得る。非直交フィードバックプロセッサ９３０−ｂは、図９および図１０を参照しながら説明した非直交フィードバックプロセッサ９３０の一例であり得る。
【０１０８】
[0113]  メモリ１１１５は、ランダムアクセスメモリ（ＲＡＭ）および読取り専用メモリ（ＲＯＭ）を含み得る。メモリ１１１５は、実行されたとき、（１つまたは複数の）プロセッサ１１０５に本明細書で説明する様々な機能を行わせるように構成された命令を含んでいるコンピュータ可読、コンピュータ実行可能ソフトウェア／ファームウェアコード１１２０を記憶し得る。代替的に、コンピュータ可読、コンピュータ実行可能ソフトウェア／ファームウェアコード１１２０は、（１つまたは複数の）プロセッサ１１０５によって直接的に実行可能でないことがあるが、（例えば、コンパイルされ実行されたとき）コンピュータに本明細書で説明する機能を行わせるように構成され得る。（１つまたは複数の）プロセッサ１１０５は、インテリジェントハードウェアデバイス、例えば、中央処理ユニット（ＣＰＵ）、マイクロコントローラ、特定用途向け集積回路（ＡＳＩＣ）などを含み得る。
【０１０９】
[0114]  図１２に、本開示の様々な態様による、ワイヤレス通信システムのための基地局１０５−ｃ（例えば、ｅＮＢの一部または全部を形成する基地局）のブロック図１２００を示す。いくつかの例において、基地局１０５は、図１〜図７を参照しながら説明した基地局１０５のうちの１つまたは複数の態様の一例であり得る。基地局１０５−ｃは、図１〜図７を参照しながら説明した基地局および／または装置の特徴および機能のうちの少なくともいくつかを実施するかまたは可能にするように構成され得る。
【０１１０】
[0115]  基地局１０５−ｃは、基地局プロセッサ１２１０と、（ソフトウェア／ファームウェアコード１２２５を含む）基地局メモリ１２２０と、１つまたは複数の基地局トランシーバ１２５０と、１つまたは複数の基地局アンテナ１２５５とを含み得る。基地局１０５−ｃはまた、基地局通信マネージャ１２３０および／またはネットワーク通信マネージャ１２４０のうちの１つまたは複数を含み得る。これらの構成要素の各々は、１つまたは複数のバス１２３５を介して、直接的または間接的に、互いと通信していることがある。
【０１１１】
[0116]  基地局１０５−ｃは、チャネルフィードバックプロセッサ１２６０と、非直交チャネルスケジューラ１２６５と、基地局ＴＳマネージャ１２７０とを含み得る。チャネルフィードバックプロセッサ１２６０は、図１〜図７を参照しながら上記で説明したように、受信されたＣＱＩと、対応するＴＳとに基いて、非直交チャネルを介した送信のためにＵＥをグループ化し得る。非直交チャネルスケジューラ１２６５は、図１〜図７を参照しながら上記で説明したように、送信をスケジュールし得る。基地局ＴＳマネージャ１２７０は、図１〜図７を参照しながら上記で説明したように、ＴＳ空間アドレスおよび予め定義された順序を決定し得る。いくつかの例において、チャネルフィードバックプロセッサ１２６０、非直交スケジューラ１２６５、および基地局ＴＳマネージャ１２７０は、ソフトウェア／ファームウェアコード１２２５の一部であり得、基地局プロセッサ１２１０に本明細書で説明する様々な機能を行わせるように構成された命令を含み得る。
【０１１２】
[0117]  基地局メモリ１２２０は、ランダムアクセスメモリ（ＲＡＭ）および／または読取り専用メモリ（ＲＯＭ）を含み得る。基地局メモリ１２２０は、実行されたとき、基地局プロセッサ１２１０に本明細書で説明する様々な機能を行わせるように構成された命令を含んでいるコンピュータ可読、コンピュータ実行可能ソフトウェア／ファームウェアコード１２２５を記憶し得る。代替的に、コンピュータ可読、コンピュータ実行可能ソフトウェア／ファームウェアコード１２２５は、基地局プロセッサ１２１０によって直接的に実行可能でないことがあるが、（例えば、コンパイルされ、実行されたとき）本明細書で説明する機能のうちのいくつかを基地局１０５−ｃに行わせるように構成され得る。
【０１１３】
[0118]  基地局プロセッサ１２１０は、インテリジェントハードウェアデバイス、例えば、中央処理ユニット（ＣＰＵ）、マイクロコントローラ、ＡＳＩＣなどを含み得る。基地局プロセッサ１２１０は、（１つまたは複数の）基地局トランシーバ１２５０、基地局通信マネージャ１２３０、および／またはネットワーク通信マネージャ１２４０を通して受信された情報を処理し得る。基地局プロセッサ１２１０はまた、（１つまたは複数の）アンテナ１２５５を通した送信のために（１つまたは複数の）トランシーバ１２５０に送られるべき情報、１つまたは複数の他の基地局１０５−ｄおよび１０５−ｅへの送信のために基地局通信マネージャ１２３０に送られるべき情報、ならびに／または図１を参照しながら説明したコアネットワーク１３０の１つまたは複数の態様の一例であり得る、コアネットワーク１２４５への送信のためにネットワーク通信マネージャ１２４０に送られるべき情報を処理し得る。
【０１１４】
[0119]  （１つまたは複数の）基地局トランシーバ１２５０は、パケットを変調し、変調されたパケットを送信のために（１つまたは複数の）基地局アンテナ１２５５に与え、（１つまたは複数の）基地局アンテナ１２５５から受信されたパケットを復調するように構成されたモデムを含み得る。（１つまたは複数の）基地局トランシーバ１２５０は、いくつかの例において、１つまたは複数の基地局送信機および１つまたは複数の別個の基地局受信機として実施され得る。（１つまたは複数の）基地局トランシーバ１２５０は、図１〜図７を参照しながら説明したＵＥ１１５のうちの１つまたは複数など、１つまたは複数のＵＥまたは装置と、（１つまたは複数の）アンテナ１２５５を介して双方向に通信するように構成され得る。基地局１０５−ｃは、例えば、複数の基地局アンテナ１２５５（例えば、アンテナアレイ）を含み得る。基地局１０５−ｃは、ネットワーク通信マネージャ１２４０を通してコアネットワーク１２４５と通信し得る。基地局１０５−ｃはまた、基地局通信マネージャ１２３０を使用して、基地局１０５−ｄおよび１０５−ｅなど、他の基地局と通信し得る。
【０１１５】
[0120]  図１３は、基地局１０５−ｆとＵＥ１１５−ｉとを含むＭＩＭＯ通信システム１３００のブロック図である。ＭＩＭＯ通信システム１３００は、図１Ａ、図１Ｂ、または図２に示されているワイヤレス通信システム１００または２００の態様を示し得る。基地局１０５−ｆはアンテナ１３３４−ａ〜１３３４−ｘを装備し得、ＵＥ１１５−ｉはアンテナ１３５２−ａ〜１３５２−ｎを装備し得る。ＭＩＭＯ通信システム１３００において、基地局１０５−ｆは、同時に複数の通信リンクを介してデータを送ることが可能であり得る。各通信リンクは、ＳＵ−ＭＩＭＯ、ＭＵ−ＭＩＭＯ、および／またはＮＯＭＡを含むマルチアンテナ技法に従って処理され得る。ＳＵ−ＭＩＭＯの場合、通信リンクの「ランク」は、通信のために使用される空間レイヤの数を示し得る。例えば、基地局１０５−ｆが２つの空間レイヤを送信する２×２ＭＩＭＯ通信システムにおいて、基地局−ｆ１０５とＵＥ１１５−ｉとの間の通信リンクのランクは２である。
【０１１６】
[0121]  基地局１０５−ｆにおいて、送信プロセッサ１３２０がデータソースからデータを受信し得る。送信プロセッサ１３２０はデータを処理し得る。送信プロセッサ１３２０はまた、制御シンボルおよび／または基準シンボルを生成し得る。送信（ＴＸ）ＭＩＭＯプロセッサ１３３０が、適用可能な場合、データシンボル、制御シンボル、および／または基準シンボルに対して空間処理（例えば、プリコーディング）を行い得、出力シンボルストリームを送信変調器１３３２−ａ〜１３３２−ｘに与え得る。各変調器１３３２は、出力サンプルストリームを取得するために、（例えば、ＯＦＤＭなどのために）該当の出力シンボルストリームを処理し得る。各変調器１３３２はさらに、ＤＬ信号を取得するために、出力サンプルストリームを処理（例えば、アナログへの変換、増幅、フィルタ処理、およびアップコンバート）し得る。一例において、変調器１３３２−ａ〜１３３２−ｘからのＤＬ信号は、それぞれアンテナ１３３４−ａ〜１３３４−ｘを介して送信され得る。
【０１１７】
[0122]  ＵＥ１１５−ｉにおいて、ＵＥアンテナ１３５２−ａ〜１３５２−ｎは、基地局１０５−ｄからＤＬ信号を受信し得、受信信号をそれぞれ復調器１３５４−ａ〜１３５４−ｎに与え得る。各復調器１３５４は、入力サンプルを取得するために、該当の受信信号を調整（例えば、フィルタ処理、増幅、ダウンコンバート、およびデジタル化）し得る。各復調器１３５４はさらに、受信シンボルを取得するために、（例えば、ＯＦＤＭなどのために）入力サンプルを処理し得る。ＭＩＭＯ検出器１３５６は、全ての復調器１３５４−ａ〜１３５４−ｎから受信シンボルを取得し、適用可能な場合は受信シンボルに対してＭＩＭＯ検出を行い、検出されたシンボルを与え得る。受信プロセッサ１３５８が、検出されたシンボルを処理（例えば、復調、デインターリーブ、および復号）し、ＵＥ１１５−ｉのための復号されたデータをデータ出力に与え、復号された制御情報をプロセッサ１３８０、またはメモリ１３８２に与え得る。
【０１１８】
[0123]  プロセッサ１３８０は、非直交フィードバックプロセッサ１３８５のうちの１つまたは複数をインスタンス化するための記憶された命令を場合によっては実行し得る。非直交フィードバックプロセッサ１３８５は、ＴＳの測定セットを決定することと、測定セットのためのチャネル品質を推定することと、測定セットのＴＳのサブセットについてのチャネル品質を報告することとに関係する、図９および図１０の非直交フィードバックプロセッサ９３０の機能を行い得る。例えば、非直交チャネルフィードバックプロセッサ１３８５は、図９または図１０の非直交チャネルフィードバックプロセッサ９３０の構成要素または態様を含み得る。
【０１１９】
[0124]  アップリンク（ＵＬ）上で、ＵＥ１１５−ｉにおいて、送信プロセッサ１３６４が、データソースからデータを受信し、処理し得る。送信プロセッサ１３６４はまた、基準信号のための基準シンボルを生成し得る。送信プロセッサ１３６４からのシンボルは、適用可能な場合は送信ＭＩＭＯプロセッサ１３６６によってプリコーディングされ、さらに（例えば、ＳＣ−ＦＤＭＡなどのために）復調器１３５４−ａ〜１３５４−ｎによって処理され、基地局１０５−ｆから受信された送信パラメータに従って基地局１０５−ｆに送信され得る。基地局１０５−ｆにおいて、ＵＥ１１５−ｉからのＵＬ信号は、アンテナ１３３４によって受信され、復調器１３３２によって処理され、適用可能な場合はＭＩＭＯ検出器１３３６によって検出され、さらに受信プロセッサ１３３８によって処理され得る。受信プロセッサ１３３８は、復号されたデータをデータ出力とプロセッサ１３４０および／またはメモリ１３４２とに与え得る。プロセッサ１３４０は、暗黙的フィードバックのためのＴＳ空間を決定することと、混合アドレス指定フィードバックのためのＴＳアドレス空間を決定することと、複数のＵＥからＣＱＩフィードバックを受信することと、送信のためのＴＳにおいてＵＥをグループ化することと、ＭＩＭＯ送信のためにＵＥをスケジュールすることとに関係する上記で説明した機能を行うように構成され得る非直交チャネルスケジューラ１３４５をインスタンス化するための記憶された命令を場合によっては実行し得る。非直交チャネルスケジューラ１３４５は、図１２を参照しながら説明したチャネルフィードバックプロセッサ１２６０、非直交チャネルスケジューラ１２６５、および／または基地局送信ストラテジーマネージャ１２７０の機能を含み得る。
【０１２０】
[0125]  ＵＥ１１５−ｉの構成要素は、適用可能な機能の一部または全部をハードウェアで行うように適応された１つまたは複数のＡＳＩＣを用いて、個々にまたはまとめて実施され得る。言及された構成要素の各々は、ＭＩＭＯ通信システム１３００の動作に関係する１つまたは複数の機能を行うための手段であり得る。同様に、基地局１０５−ｆの構成要素は、適用可能な機能の一部または全部をハードウェアで行うように適応された１つまたは複数のＡＳＩＣを用いて、個々にまたはまとめて実施され得る。言及された構成要素の各々は、ＭＩＭＯ通信システム１３００の動作に関係する１つまたは複数の機能を行うための手段であり得る。
【０１２１】
[0126]  図１４は、本開示の様々な態様による、ワイヤレス通信のための方法１４００の一例を示すフローチャートである。明快のために、方法１４００について、図１Ａ、図１Ｂ、図２、図４、図５、および図１１を参照しながら説明したＵＥ１１５のうちの１つまたは複数の態様、ならびに／あるいは図９および図１０を参照しながら説明したデバイス９０５または非直交フィードバックプロセッサ９３０の態様に関して以下で説明する。いくつかの例において、ＵＥは、以下で説明する機能を行うようにＵＥの機能要素を制御するためのコードの１つまたは複数のセットを実行し得る。追加または代替として、ＵＥは、専用ハードウェアを使用して、以下で説明する機能のうちの１つまたは複数を行い得る。
【０１２２】
[0127]  ブロック１４０５において、方法１４００は、非直交チャネルについてのチャネルフィードバックのためのＴＳの測定セットを決定することを含み得る。測定セットは、ＴＳ選択基準のセットを、利用可能なＴＳ空間に適用することによって決定され得る。ＴＳ選択基準のセットは、電力分割選択基準、ＵＥに送信されたデータストリームのための空間レイヤ選択基準、少なくとも１つの他のＵＥに送信されたデータストリームのための空間レイヤ選択基準、またはそれらの組合せのうちのいずれかを含み得る。ブロック１４０５における（１つまたは複数の）動作は、図１０を参照しながら説明したＴＳ測定セット識別器１０４０を使用して行われ得る。
【０１２３】
[0128]  ブロック１４１０において、方法１４００は、測定セットの該当ＴＳに対応するＵＥへのダウンリンク送信のためのチャネル品質を推定することを含み得る。ＴＳの各々は、プリコーディング行列、ＵＥへのデータストリームのための空間レイヤの第１のセット、少なくとも１つの他のＵＥへのデータストリームのための空間レイヤの第２のセット、該当チャネル品質を達成するために干渉消去が適用されるかどうか、電力分割、またはそれらの組合せのうちのいずれかを含み得る。ブロック１４１０における（１つまたは複数の）動作は、図１０を参照しながら説明したチャネル品質推定器１０５０を使用して行われ得る。
【０１２４】
[0129]  ブロック１４１５において、方法１４００は、ＴＳの測定セットのサブセットについてチャネル品質のインジケータを備えるチャネルフィードバック報告を送ることを含み得る。いくつかの例において、測定セットのサブセットは、上記で説明したように、連続選択基準またはランダム選択基準を含み得る、報告選択基準に基いて決定され得る。
【０１２５】
[0130]  チャネルフィードバック報告は、上記で説明したように、明示的アドレス指定、暗黙的アドレス指定、または混合アドレス指定を使用する、測定セットのサブセットについてのＣＱＩを含み得る。例えば、チャネルフィードバック報告は、図６、図７、または図８を参照しながら説明したチャネルフィードバック報告６３０、７３０、または８３０に従ってフォーマットされ得る。暗黙的アドレス指定の場合、ＴＳ空間のための予め定義された順序が、チャネルフィードバック報告を送ることより前に基地局と通信され得る。混合アドレス指定技法の場合、ＴＳアドレス空間が、チャネルフィードバック報告を送ることより前に基地局と通信され得る。ブロック１４１５における（１つまたは複数の）動作は、図１０を参照しながら説明したチャネルフィードバックレポータ１０７０を使用して行われ得る。
【０１２６】
[0131]  従って、方法１４００はワイヤレス通信を提供し得る。方法１４００は一実施形態にすぎないこと、および方法１１００の動作は、他の実施形態が可能であるように、並べ替えられるかまたは場合によっては変更され得ることに留意されたい。
【０１２７】
[0132]  図１５は、本開示の様々な態様による、ワイヤレス通信のための方法１５００の一例を示すフローチャートである。明快のために、方法１５００について、図１Ａ、図１Ｂ、図２、図４、図５、および図１１を参照しながら説明したＵＥ１１５のうちの１つまたは複数の態様、ならびに／あるいは図９および図１０を参照しながら説明したデバイス９０５または非直交フィードバックプロセッサ９３０の態様に関して以下で説明する。いくつかの例において、ＵＥは、以下で説明する機能を行うようにＵＥの機能要素を制御するためのコードの１つまたは複数のセットを実行し得る。追加または代替として、ＵＥは、専用ハードウェアを使用して、以下で説明する機能のうちの１つまたは複数を行い得る。
【０１２８】
[0133]  ブロック１５０５において、方法１５００は、非直交チャネルについてのチャネルフィードバックのためのＴＳの測定セットを決定することを含み得る。ブロック１５０５における（１つまたは複数の）動作は、図１０を参照しながら説明したＴＳ測定セット識別器１０４０を使用して行われ得る。
【０１２９】
[0134]  ブロック１５１０において、方法１５００は、測定セットの該当ＴＳに対応するＵＥへのダウンリンク送信のためのチャネル品質を推定することを含み得る。ブロック１５１０における（１つまたは複数の）動作は、図１０を参照しながら説明したチャネル品質推定器１０５０を使用して行われ得る。
【０１３０】
[0135]  ブロック１５１５において、方法１５００は、報告選択基準に従って測定セットのうちの所定数ＭのＴＳに対応する測定セットのサブセットを決定するを含み得る。上記で説明したように、報告選択基準は、連続選択基準またはランダム選択基準を含み得、ＵＥの長期ＳＮＲ、または基地局から受信された選択モードに基いて決定され得る。ブロック１５１５における（１つまたは複数の）動作は、図１０を参照しながら説明したチャネルフィードバックレポータ１０７０を使用して行われ得る。
【０１３１】
[0136]  ブロック１５２０において、方法１５００は、ＴＳの測定セットのサブセットについてチャネル品質のインジケータを備えるチャネルフィードバック報告を送ることを含み得る。ブロック１５２０における（１つまたは複数の）動作は、図１０を参照しながら説明したチャネルフィードバックレポータ１０７０を使用して行われ得る。
【０１３２】
[0137]  従って、方法１５００はワイヤレス通信を提供し得る。方法１５００は一実施形態にすぎないこと、および方法１５００の動作は、他の実施形態が可能であるように、並べ替えられるかまたは場合によっては変更され得ることに留意されたい。
【０１３３】
[0138]  いくつかの例では、図１４または図１５を参照しながら説明した方法１４００または１５００のうちの１つまたは複数の態様が組み合わせられ得る。
【０１３４】
[0139]  本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実施し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実施し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実施し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体か
らの文書に記載されている。本明細書で説明した技法は、無認可および／または共有帯域幅を介したセルラー（例えば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１３５】
[0140]  添付の図面に関して上記に記載された詳細な説明は、例について説明しており、実施され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１３６】
[0141]  情報および信号は、多種多様な技術および技法のいずれかを使用して表され得る。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３７】
[0142]  本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を行うように設計されたそれらの任意の組合せを用いて実施または行われ得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、または任意の他のそのような構成としても実施され得る。
【０１３８】
[0143]  本明細書で説明した機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードとしてコンピュータ可読媒体上に記憶されるか、あるいはコンピュータ可読媒体を介して送信され得る。他の例および実施形態は、本開示および添付の特許請求の範囲の範囲および趣旨内に入る。例えば、ソフトウェアの性質により、上記で説明した機能は、プロセッサ、ハードウェア、ファームウェア、ハードワイヤリング、またはこれらのうちのいずれかの組合せによって実行されるソフトウェアを使用して実施され得る。機能を実施する特徴はまた、機能の部分が、異なる物理的ロケーションにおいて実施されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。例えば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（例えば、「のうちの少なくとも１つ」あるいは「のうちの１つまたは複数」などの句で終わる項目の列挙）中で使用される「または」は、例えば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１３９】
[0144]  コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１４０】
[0145]  本開示についての以上の説明は、当業者が本開示を作成または使用できるように与えられたものである。本開示への様々な変更は当業者には容易に明らかとなり、本明細書で定義した一般原理は、本開示の範囲から逸脱することなく他の変形形態に適用され得る。従って、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
［Ｃ１］
ユーザ機器（ＵＥ）におけるワイヤレス通信のための方法であって、
非直交チャネルについてのチャネルフィードバックのための送信ストラテジーの測定セットを決定することと、
前記測定セットの該当送信ストラテジーに対応する前記非直交チャネルを介した前記ＵＥへのダウンリンク送信のためのチャネル品質を推定することと、
送信ストラテジーの前記測定セットのサブセットについて前記チャネル品質のインジケータを備えるチャネルフィードバック報告を送ることと備える、方法。
［Ｃ２］
前記ダウンリンク送信のための最高シングルユーザデータレートの割合に基いて、最小データレートしきい値を決定することと、
前記最小データレートしきい値に少なくとも一部基いて、前記測定セットの前記サブセットを決定することと
をさらに備える、Ｃ１に記載の方法。
［Ｃ３］
前記測定セットのうちの所定数Ｍの前記送信ストラテジーと、報告選択基準とに少なくとも一部基いて、前記測定セットの前記サブセットを決定することをさらに備える、Ｃ１に記載の方法。
［Ｃ４］
前記非直交チャネルのフィルタ処理された信号対雑音比（ＳＮＲ）、または基地局から受信された選択モードに少なくとも一部基いて、前記報告選択基準を識別することをさらに備える、Ｃ３に記載の方法。
［Ｃ５］
前記報告選択基準が、ランダム選択基準または連続選択基準のうちの１つを備える、Ｃ３に記載の方法。
［Ｃ６］
前記ランダム選択基準が、最小データレートしきい値と最大データレートしきい値とを備える、Ｃ５に記載の方法。
［Ｃ７］
前記ダウンリンク送信のための最高シングルユーザデータレートを決定することと、
前記最大データレートしきい値を前記最高シングルユーザデータレートに設定することと、
前記最小データレートしきい値を前記最高シングルユーザデータレートの割合に設定することと
をさらに備える、Ｃ６に記載の方法。
［Ｃ８］
前記チャネルフィードバック報告が、予め定義された順序での送信ストラテジー空間の該当送信ストラテジーのための前記チャネル品質の前記インジケータを備える、Ｃ１に記載の方法。
［Ｃ９］
前記チャネルフィードバック報告を送ることより前に、前記送信ストラテジー空間の前記予め定義された順序を基地局と通信することをさらに備える、Ｃ８に記載の方法。
［Ｃ１０］
前記チャネルフィードバック報告が、前記測定セットの前記サブセットについて前記チャネル品質の前記インジケータの各々に関連する該当送信ストラテジーのインジケータを備える、Ｃ１に記載の方法。
［Ｃ１１］
前記該当送信ストラテジーの前記インジケータが、送信ストラテジー空間に対応するビットマップのビット、または前記送信ストラテジー空間へのインデックスを備える、Ｃ１０に記載の方法。
［Ｃ１２］
前記チャネルフィードバック報告を送ることより前に、前記送信ストラテジー空間を基地局と通信することをさらに備える、Ｃ１１に記載の方法。
［Ｃ１３］
前記測定セットを前記決定することが、
送信ストラテジー選択基準のセットを、利用可能な送信ストラテジー空間に適用することを備える、Ｃ１に記載の方法。
［Ｃ１４］
送信ストラテジー選択基準の前記セットが、電力分割選択基準、前記ＵＥに送信されたデータストリームのための空間レイヤ選択基準、少なくとも１つの他のＵＥに送信されたデータストリームのための空間レイヤ選択基準、またはそれらの組合せのうちのいずれかを備える、Ｃ１３に記載の方法。
［Ｃ１５］
前記送信ストラテジーの各々は、プリコーディング行列、前記ＵＥへのデータストリームのための空間レイヤの第１のセット、少なくとも１つの他のＵＥへのデータストリームのための空間レイヤの第２のセット、該当チャネル品質を達成するために干渉消去が適用されるかどうか、電力分割、またはそれらの組合せのうちのいずれかを備える、Ｃ１に記載の方法。
［Ｃ１６］
ユーザ機器（ＵＥ）によるワイヤレス通信のための装置であって、
非直交チャネルについてのチャネルフィードバックのための送信ストラテジーの測定セットを決定するための手段と、
前記測定セットの該当送信ストラテジーに対応する前記非直交チャネルを介した前記ＵＥへのダウンリンク送信のためのチャネル品質を推定するための手段と、
送信ストラテジーの前記測定セットのサブセットについてチャネル品質のインジケータを備えるチャネルフィードバック報告を送るための手段と
を備える、装置。
［Ｃ１７］
前記ダウンリンク送信のための最高シングルユーザデータレートの割合に基いて、最小データレートしきい値を決定するための手段と、
前記最小データレートしきい値に少なくとも一部基いて、前記測定セットの前記サブセットを決定するための手段と
をさらに備える、Ｃ１６に記載の装置。
［Ｃ１８］
前記測定セットのうちの所定数Ｍの前記送信ストラテジーと、報告選択基準とに少なくとも一部基いて、前記測定セットの前記サブセットを決定するための手段をさらに備える、Ｃ１６に記載の装置。
［Ｃ１９］
前記非直交チャネルのフィルタ処理された信号対雑音比（ＳＮＲ）、または基地局から受信された選択モードに少なくとも一部基いて、前記報告選択基準を識別するための手段をさらに備える、Ｃ１８に記載の装置。
［Ｃ２０］
前記報告選択基準が、ランダム選択基準または連続選択基準のうちの１つを備える、Ｃ１８に記載の装置。
［Ｃ２１］
前記ランダム選択基準が、最小データレートしきい値と最大データレートしきい値とを備える、Ｃ２０に記載の装置。
［Ｃ２２］
前記ダウンリンク送信のための最高シングルユーザデータレートを決定するための手段と、
前記最大データレートしきい値を前記最高シングルユーザデータレートに設定するための手段と、
前記最小データレートしきい値を前記最高シングルユーザデータレートの割合に設定するための手段と
をさらに備える、Ｃ２１に記載の装置。
［Ｃ２３］
前記チャネルフィードバック報告が、予め定義された順序での送信ストラテジー空間の該当送信ストラテジーのための前記チャネル品質の前記インジケータを備える、Ｃ１６に記載の装置。
［Ｃ２４］
前記チャネルフィードバック報告を送ることより前に、前記送信ストラテジー空間の前記予め定義された順序を基地局と通信するための手段をさらに備える、Ｃ２３に記載の装置。
［Ｃ２５］
前記チャネルフィードバック報告が、前記測定セットの前記サブセットについて前記チャネル品質の前記インジケータの各々に関連する該当送信ストラテジーのインジケータを備える、Ｃ１６に記載の装置。
［Ｃ２６］
ユーザ機器（ＵＥ）によるワイヤレス通信のための装置であって、
プロセッサと、
前記プロセッサと電子通信しているメモリと、前記メモリに記憶された命令とを備え、前記命令が、
非直交チャネルについてのチャネルフィードバックのための送信ストラテジーの測定セットを決定することと、
前記測定セットの該当送信ストラテジーに対応する前記非直交チャネルを介した前記ＵＥへのダウンリンク送信のためのチャネル品質を推定することと、
送信ストラテジーの前記測定セットのサブセットについて前記チャネル品質のインジケータを備えるチャネルフィードバック報告を送ることと
を行うために前記プロセッサによって実行可能である、装置。
［Ｃ２７］
前記命令が、前記プロセッサに、
前記ダウンリンク送信のための最高シングルユーザデータレートの割合に基いて、最小データレートしきい値を決定することと、
前記最小データレートしきい値に少なくとも一部基いて、前記測定セットの前記サブセットを決定することと
を行わせるように動作可能である、Ｃ２６に記載の装置。
［Ｃ２８］
前記命令が、前記プロセッサに、
前記測定セットのうちの所定数Ｍの前記送信ストラテジーと、報告選択基準とに少なくとも一部基いて、前記測定セットの前記サブセットを決定することを行わせるように動作可能である、Ｃ２６に記載の装置。
［Ｃ２９］
前記命令が、前記プロセッサに、
前記非直交チャネルのフィルタ処理された信号対雑音比（ＳＮＲ）、または基地局から受信された選択モードに少なくとも一部基いて、前記報告選択基準を識別することを行わせるように動作可能である、Ｃ２８に記載の装置。
［Ｃ３０］
ユーザ機器（ＵＥ）によるワイヤレス通信のためのコードを記憶する非一時的コンピュータ可読媒体であって、前記コードが、
非直交チャネルについてのチャネルフィードバックのための送信ストラテジーの測定セットを決定することと、
前記測定セットの該当送信ストラテジーに対応する前記ＵＥへのダウンリンク送信のためのチャネル品質を推定することと、
送信ストラテジーの前記測定セットのサブセットについてチャネル品質のインジケータを備えるチャネルフィードバック報告を送ることと
を行うためにプロセッサによって実行可能な命令を備える、非一時的コンピュータ可読媒体。
【図１Ａ】
0006495445.tif 000008
【図１Ｂ】
0006495445.tif 000009
【図２】
0006495445.tif 000010
【図３】
0006495445.tif 000011
【図４】
0006495445.tif 000012
【図５】
0006495445.tif 000013
【図６Ａ】
0006495445.tif 000014
【図６Ｂ】
0006495445.tif 000015
【図７】
0006495445.tif 000016
【図８Ａ】
0006495445.tif 000017
【図８Ｂ】
0006495445.tif 000018
【図９】
0006495445.tif 000019
【図１０】
0006495445.tif 000020
【図１１】
0006495445.tif 000021
【図１２】
0006495445.tif 000022
【図１３】
0006495445.tif 000023
【図１４】
0006495445.tif 000024
【図１５】
0006495445.tif 000025